(57)【特許請求の範囲】
【請求項１】
データなしでＰＵＳＣＨ（Ｐｈｙｓｉｃａｌ  Ｕｐｌｉｎｋ  Ｓｈａｒｅｄ  Ｃｈａｎｎｅｌ）を介して制御情報を伝送する方法であって、
前記制御情報は、ａｃｋｎｏｗｌｅｄｇｅｍｅｎｔ（ＡＣＫ）／ｎｅｇａｔｉｖｅ  ａｃｋｎｏｗｌｅｄｇｅｍｅｎｔ（ＮＡＣＫ）情報またはランク指標（ＲＩ）を含み、
前記方法は、
前記制御情報の符号化されたシンボルの個数に基づいて前記制御情報をチャネル符号化することにより、チャネル符号化された制御情報を生成することを含み、
前記制御情報の符号化されたシンボルの個数は、
【数１】
0005625092.tif 000386
を用いることにより決定され、
【数２】
0005625092.tif 000387
は、前記制御情報の符号化されたシンボルの個数であり、
【数３】
0005625092.tif 000388
は、制御情報のビット数であり、
【数４】
0005625092.tif 000389
は、オフセット値であり、
【数５】
0005625092.tif 000390
は、ＣＱＩ（Ｃｈａｎｎｅｌ  Ｑｕａｌｉｔｙ  Ｉｎｆｏｒｍａｔｉｏｎ）に関連したビット数であり、
【数６】
0005625092.tif 000391
は、ＰＵＳＣＨ伝送のためのリソースのサイズであり、
【数７】
0005625092.tif 000392
は、天井関数を表す、方法。
【請求項２】
前記ＣＱＩをチャネル符号化することにより、チャネル符号化されたＣＱＩを生成することと、
前記チャネル符号化された制御情報と前記チャネル符号化されたＣＱＩにチャネルインターリービングを行うことと
をさらに含む、請求項１に記載の方法。
【請求項３】
前記ＣＱＩに関連したビット数は、前記ＣＱＩに付加されたＣＲＣ（Ｃｙｃｌｉｃ  Ｒｅｄｕｎｄａｎｃｙ  Ｃｈｅｃｋ）のサイズを含む、請求項１に記載の方法。
【請求項４】
【数８】
0005625092.tif 000393
は
【数９】
0005625092.tif 000394
を含み、
【数１０】
0005625092.tif 000395
は、前記ＰＵＳＣＨ伝送のためのスケジューリングされた帯域であり、
【数１１】
0005625092.tif 000396
は、前記ＰＵＳＣＨ伝送のためのＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルの個数である、請求項１に記載の方法。
【請求項５】
データなしでＰＵＳＣＨ（Ｐｈｙｓｉｃａｌ  Ｕｐｌｉｎｋ  Ｓｈａｒｅｄ  Ｃｈａｎｎｅｌ）を介して受信された制御情報を処理する方法であって、
前記制御情報は、ａｃｋｎｏｗｌｅｄｇｅｍｅｎｔ（ＡＣＫ）／ｎｅｇａｔｉｖｅ  ａｃｋｎｏｗｌｅｄｇｅｍｅｎｔ（ＮＡＣＫ）情報またはランク指標（ＲＩ）を含み、
前記方法は、
前記制御情報の符号化されたシンボルの個数に基づいて、チャネル符号化された制御情報をチャネル復号化することにより、チャネル復号化された制御情報を生成することを含み、
前記制御情報の符号化されたシンボルの個数は、
【数１２】
0005625092.tif 000397
を用いることにより決定され、
【数１３】
0005625092.tif 000398
は、前記制御情報の符号化されたシンボルの個数であり、
【数１４】
0005625092.tif 000399
は、制御情報のビット数であり、
【数１５】
0005625092.tif 000400
は、オフセット値であり、
【数１６】
0005625092.tif 000401
は、ＣＱＩ（Ｃｈａｎｎｅｌ  Ｑｕａｌｉｔｙ  Ｉｎｆｏｒｍａｔｉｏｎ）に関連したビット数であり、
【数１７】
0005625092.tif 000402
は、ＰＵＳＣＨ伝送のためのリソースのサイズであり、
【数１８】
0005625092.tif 000403
は、天井関数を表す、方法。
【請求項６】
前記チャネル符号化された制御情報とチャネル符号化されたＣＱＩにチャネルデインターリービングを行うことと、
前記チャネル符号化されたＣＱＩをチャネル復号化することにより、チャネル復号化されたＣＱＩを生成することと
をさらに含む、請求項５に記載の方法。
【請求項７】
前記ＣＱＩに関連したビット数は、前記ＣＱＩに付加されたＣＲＣ（Ｃｙｃｌｉｃ  Ｒｅｄｕｎｄａｎｃｙ  Ｃｈｅｃｋ）のサイズを含む、請求項５に記載の方法。
【請求項８】
【数１９】
0005625092.tif 000404
は
【数２０】
0005625092.tif 000405
を含み、
【数２１】
0005625092.tif 000406
は、前記ＰＵＳＣＨ伝送のためのスケジューリングされた帯域であり、
【数２２】
0005625092.tif 000407
は、前記ＰＵＳＣＨ伝送のためのＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルの個数である、請求項５に記載の方法。
【請求項９】
データなしでＰＵＳＣＨ（Ｐｈｙｓｉｃａｌ  Ｕｐｌｉｎｋ  Ｓｈａｒｅｄ  Ｃｈａｎｎｅｌ）を介して制御情報を伝送するように構成された装置であって、
前記制御情報は、ａｃｋｎｏｗｌｅｄｇｅｍｅｎｔ（ＡＣＫ）／ｎｅｇａｔｉｖｅ  ａｃｋｎｏｗｌｅｄｇｅｍｅｎｔ（ＮＡＣＫ）情報またはランク指標（ＲＩ）を含み、
前記装置は、
前記制御情報の符号化されたシンボルの個数に基づいて前記制御情報をチャネル符号化することにより、チャネル符号化された制御情報を生成する第１チャネル符号化モジュールを含み、
前記制御情報の符号化されたシンボルの個数は、
【数２３】
0005625092.tif 000408
を用いることにより決定され、
【数２４】
0005625092.tif 000409
は、前記制御情報の符号化されたシンボルの個数であり、
【数２５】
0005625092.tif 000410
は、制御情報のビット数であり、
【数２６】
0005625092.tif 000411
は、オフセット値であり、
【数２７】
0005625092.tif 000412
は、ＣＱＩ（Ｃｈａｎｎｅｌ  Ｑｕａｌｉｔｙ  Ｉｎｆｏｒｍａｔｉｏｎ）に関連したビット数であり、
【数２８】
0005625092.tif 000413
は、ＰＵＳＣＨ伝送のためのリソースのサイズであり、
【数２９】
0005625092.tif 000414
は、天井関数を表す、装置。
【請求項１０】
前記装置は、
前記ＣＱＩをチャネル符号化することにより、チャネル符号化されたＣＱＩを生成する第２チャネル符号化モジュールと、
前記チャネル符号化された制御情報と前記チャネル符号化されたＣＱＩにチャネルインターリービングを行うチャネルインターリービングモジュールと
をさらに含む、請求項９に記載の装置。
【請求項１１】
前記ＣＱＩに関連したビット数は、前記ＣＱＩに付加されたＣＲＣ（Ｃｙｃｌｉｃ  Ｒｅｄｕｎｄａｎｃｙ  Ｃｈｅｃｋ）のサイズを含む、請求項９に記載の装置。
【請求項１２】
【数３０】
0005625092.tif 000415
は
【数３１】
0005625092.tif 000416
を含み、
【数３２】
0005625092.tif 000417
は、前記ＰＵＳＣＨ伝送のためのスケジューリングされた帯域であり、
【数３３】
0005625092.tif 000418
は、前記ＰＵＳＣＨ伝送のためのＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルの個数である、請求項９に記載の装置。
【請求項１３】
データなしでＰＵＳＣＨ（Ｐｈｙｓｉｃａｌ  Ｕｐｌｉｎｋ  Ｓｈａｒｅｄ  Ｃｈａｎｎｅｌ）を介して受信された制御情報を処理するように構成された装置であって、
前記制御情報は、ａｃｋｎｏｗｌｅｄｇｅｍｅｎｔ（ＡＣＫ）／ｎｅｇａｔｉｖｅ  ａｃｋｎｏｗｌｅｄｇｅｍｅｎｔ（ＮＡＣＫ）情報またはランク指標（ＲＩ）を含み、
前記装置は、
前記制御情報の符号化されたシンボルの個数に基づいて、チャネル符号化された制御情報をチャネル復号化することにより、チャネル復号化された制御情報を生成する第１チャネル復号化モジュールを含み、
前記制御情報の符号化されたシンボルの個数は、
【数３４】
0005625092.tif 000419
を用いることにより決定され、
【数３５】
0005625092.tif 000420
は、前記制御情報の符号化されたシンボルの個数であり、
【数３６】
0005625092.tif 000421
は、制御情報のビット数であり、
【数３７】
0005625092.tif 000422
は、オフセット値であり、
【数３８】
0005625092.tif 000423
は、ＣＱＩ（Ｃｈａｎｎｅｌ  Ｑｕａｌｉｔｙ  Ｉｎｆｏｒｍａｔｉｏｎ）に関連したビット数であり、
【数３９】
0005625092.tif 000424
は、ＰＵＳＣＨ伝送のためのリソースのサイズであり、
【数４０】
0005625092.tif 000425
は、天井関数を表す、装置。
【請求項１４】
前記チャネル符号化された制御情報とチャネル符号化されたＣＱＩにチャネルデインターリービングを行うチャネルデインターリービングモジュールと、
前記チャネル符号化されたＣＱＩをチャネル復号化することにより、チャネル復号化されたＣＱＩを生成する第２チャネル復号化モジュールと
をさらに含む、請求項１３に記載の装置。
【請求項１５】
前記ＣＱＩに関連したビット数は、前記ＣＱＩに付加されたＣＲＣ（Ｃｙｃｌｉｃ  Ｒｅｄｕｎｄａｎｃｙ  Ｃｈｅｃｋ）のサイズを含む、請求項１３に記載の装置。
【請求項１６】
【数４１】
0005625092.tif 000426
は
【数４２】
0005625092.tif 000427
を含み、
【数４３】
0005625092.tif 000428
は、前記ＰＵＳＣＨ伝送のためのスケジューリングされた帯域であり、
【数４４】
0005625092.tif 000429
は、前記ＰＵＳＣＨ伝送のためのＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルの個数である、請求項１３に記載の装置。
【発明の詳細な説明】
【技術分野】
【０００１】
本発明は、制御情報及びデータを含むアップリンク信号をアップリンクチャネルを通じて伝送する方法に関するものである。
【背景技術】
【０００２】
（ＬＴＥのチャネル構造及びマッピング）
３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）のリンクチャネル構造及びマッピング（ｍａｐｐｉｎｇ）を説明すると、次の通りである。ダウンリンク（ｄｏｗｎｌｉｎｋ）物理チャネル（ｐｈｙｓｉｃａｌ  ｃｈａｎｎｅｌ）には、ＰＤＳＣＨ（Ｐｈｙｓｉｃａｌ  Ｄｏｗｎｌｉｎｋ  Ｓｈａｒｅｄ  Ｃｈａｎｎｅｌ）、ＰＢＣＨ（Ｐｈｙｓｉｃａｌ  Ｂｒｏａｄｃａｓｔ  Ｃｈａｎｎｅｌ）、ＰＭＣＨ（Ｐｈｙｓｉｃａｌ  Ｍｕｌｔｉｃａｓｔ  Ｃｈａｎｎｅｌ、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＤＣＣＨ（Ｐｈｙｓｉｃａｌ  Ｄｏｗｎｌｉｎｋ  Ｃｏｎｔｒｏｌ  Ｃｈａｎｎｅｌ及びＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）がある。アップリンク（ｕｐｌｉｎｋ）物理チャネルには、ＰＵＳＣＨ（Ｐｈｙｓｉｃａｌ  Ｕｐｌｉｎｋ  Ｓｈａｒｅｄ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）及びＰＲＡＣＨ（Ｐｈｙｓｉｃａｌ  Ｒａｎｄｏｍ  Ａｃｃｅｓｓ  Ｃｈａｎｎｅｌ）がある。
【０００３】
また、ダウンリンク伝送チャネル（ｔｒａｎｓｐｏｒｔ  ｃｈａｎｎｅｌ）には、ＢＣＨ（Ｂｒｏａｄｃａｓｔ  Ｃｈａｎｎｅｌ）、ＤＬ−ＳＣＨ（Ｄｏｗｎｌｉｎｋ  Ｓｈａｒｅｄ  Ｃｈａｎｎｅｌ）、ＰＣＨ（Ｐａｇｉｎｇ  Ｃｈａｎｎｅｌ）及びＭＣＨ（Ｍｕｌｔｉｃａｓｔ  Ｃｈａｎｎｅｌ）があり、アップリンク伝送チャネルには、ＵＬ−ＳＣＨ（Ｕｐｌｉｎｋ  Ｓｈａｒｅｄ  Ｃｈａｎｎｅｌ）及びＲＡＣＨ（Ｒａｎｄｏｍ  Ａｃｃｅｓｓ  Ｃｈａｎｎｅｌ）がある。
【０００４】
図１は、ダウンリンク物理チャネルとダウンリンク伝送チャネル間のマッピング関係を示す図であり、図２は、アップリンク物理チャネルと伝送チャネル間のマッピング関係を示す図である。図１及び図２に示すように、上記の物理チャネル及び伝送チャネルがマッピングされる。
【０００５】
一方、制御チャネル（Ｃｏｎｔｒｏｌ  Ｃｈａｎｎｅｌ）に分類される論理チャネル（ｌｏｇｉｃａｌ  ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）及びＤＣＣＨ（Ｄｅｄｉｃａｔｅｄ  Ｃｏｎｔｒｏｌ  Ｃｈａｎｎｅｌ）があり、トラフィックチャネル（Ｔｒａｆｆｉｃ  Ｃｈａｎｎｅｌ）に分類される論理チャネルには、ＤＴＣＨ（Ｄｅｄｉｃａｔｅｄ  Ｔｒａｆｆｉｃ  Ｃｈａｎｎｅｌ）及びＭＴＣＨ（Ｍｕｌｔｉｃａｓｔ  Ｔｒａｆｆｉｃ  Ｃｈａｎｎｅｌ）がある。
【０００６】
図３は、ダウンリンク伝送チャネルと論理チャネル間のマッピング関係を示す図であり、図４は、アップリンク伝送チャネルと論理チャネル間のマッピング関係を示す図である。図３及び図４に示すように伝送チャネルが論理チャネルとマッピングされる。
【０００７】
（ＬＴＥのスロット構造）
セルラーＯＦＤＭ無線パケット通信システムで、アップリンク／ダウンリンクデータパケット伝送は、サブフレーム（ｓｕｂｆｒａｍｅ）単位で行われ、１サブフレームは多数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（ｓｙｍｂｏｌ）を含む一定の時間区間と定義される。
【０００８】
３ＧＰＰは、ＦＤＤ（Ｆｒｅｑｕｅｎｃｙ  Ｄｉｖｉｓｉｏｎ  Ｄｕｐｌｅｘ）に適用可能なタイプ１（ｔｙｐｅ  １）無線フレーム構造（Ｗｉｒｅｌｅｓｓ  Ｆｒａｍｅ  Ｓｔｒｕｃｔｕｒｅ）、及びＴＤＤ（Ｔｉｍｅ  Ｄｉｖｉｓｉｏｎ  Ｄｕｐｌｅｘ）に適用可能なタイプ２の無線フレーム構造（Ｆｒａｍｅ  Ｓｔｒｕｃｔｕｒｅ）を支援する。
【０００９】
図５は、タイプ１無線フレームの構造を示す図である。タイプ１無線フレームは、１０個のサブフレームで構成され、１個のサブフレームは２個のスロット（Ｓｌｏｔ）で構成される。
【００１０】
図６は、タイプ２無線フレームの構造を示す図である。タイプ２無線フレームは、２個のハフフレーム（ｈａｌｆ  ｆｒａｍｅ）で構成されて、各ハフフレームは、５個のサブフレームとＤｗＰＴＳ（Ｄｏｗｎｌｉｎｋ  Ｐｉｌｏｔｉｎｇ  Ｔｉｍｅ  Ｓｌｏｔ）、ＧＰ（Ｇａｐ  Ｐｅｒｉｏｄ）、ＵｐＰＴＳ（Ｕｐｌｉｎｋ  Ｐｉｌｏｔｉｎｇ  Ｔｉｍｅ  Ｓｌｏｔ）で構成される。ここで、１のサブフレームは、２個のスロットで構成される。
【００１１】
ＤｗＰＴＳは、最初セル検索、同期またはチャネル測定などのために用いられる。ＵｐＰＴＳは、ＵＥ（ユーザ機器）のアップリンク伝送同期であるｅＮＢ（ｅｖｏｌｖｅｄ  Ｎｏｄｅ  Ｂ）のチャネル測定のために用いられる。ＧＰは、アップリンクとダウンリンク間のダウンリンク信号の様々な経路遅延による干渉を除去するためのインターバル（ｉｎｔｅｒｖａｌ）である、すなわち、無線フレームのタイプにかかわらずに１個のサブフレームは２個のスロットで構成される。
【００１２】
図７には、ＬＴＥダウンリンクのスロット構造を示す。図７に示すように、各スロット（ｓｌｏｔ）で伝送される信号は、副搬送波（ｓｕｂｃａｒｒｉｅｒ）及びＯＦＤＭシンボルで構成されるリソース格子（Ｒｅｓｏｕｒｃｅ  Ｇｒｉｄ）で表すことができる。ここで、ダウンリンクにおけるリソースブロック（Ｒｅｓｏｕｒｃｅ  Ｂｌｏｃｋ；ＲＢ）の個数を表し、一つのＲＢを構成する副搬送波の個数を表し、一つのダウンリンクスロットにおけるＯＦＤＭシンボルの個数を表す。
【００１３】
図８には、ＬＴＥアップリンクスロット構造を示す。図８に示すように、各スロットで伝送される信号は、副搬送波及びＯＦＤＭシンボルで構成されるリソース格子で表すことができる。ここで、アップリンクにおけるＲＢの個数を表し、一つのＲＢを構成する副搬送波の個数を表し、一つのダウンリンクスロットにおけるＯＦＤＭシンボルの個数を表す。リソース要素（Ｒｅｓｏｕｒｃｅ  Ｅｌｅｍｅｎｔ）は、アップリンクスロットとダウンリンクスロット内でインデックス（ａ，ｂ）で定義されるリソース単位で、１個の副搬送波と１個のＯＦＤＭシンボルを表す（ここで、ａは周波数軸上のインデックスであり、ｂは時間軸上のインデックスである。）。
【００１４】
一方、ｅＮＢは、制御情報をダウンリンクで送信して、アップリンク伝送チャネルであるＵＬ−ＳＣＨ（Ｕｐ  Ｌｉｎｋ−Ｓｈｒａｅｄ  ＣＨａｎｎｅｌ）を制御する。この時、ダウンリンクで伝送される制御情報は、ＵＬ−ＳＣＨが伝送するリソースブロック（ＲＢ）の個数及び変調次数（Ｍｏｄｕｌａｔｉｏｎ  Ｏｒｄｅｒ）を、ＵＥに知らせる。また、該制御情報は、アップリンクでデータが伝送される場合に、データのペイロードサイズ（ｐａｙｌｏａｄ  ｓｉｚｅ）を知らせる。ここで、ペイロードサイズは、ＭＡＣ層（ｌａｙｅｒ）からの情報のサイズ（データの場合はデータのサイズ、制御情報（例えばＣＱＩ（Ｃｈａｎｎｅｌ  Ｑｕａｌｉｔｙ  Ｉｎｄｉｃａｔｏｒ）／ＰＭＩ（Ｐｒｅｃｏｄｉｎｇ  Ｍａｔｒｉｘ  Ｉｎｄｅｘ））の場合は制御情報のサイズ）と物理層（ｐｈｙｓｉｃａｌ  ｌａｙｅｒ）で当該情報に任意に付加されたＣＲＣとの和として定義することができる。ＣＲＣが制御情報に付加される前における制御情報のサイズによってＣＲＣを制御情報に付加しなくて済むことがあり、よって、制御情報のペイロードはＣＲＣのサイズを含まない場合もある。特に、ＣＲＣの付加されていない制御情報のサイズが１１ビットと同一であるかまたは小さい場合、ＣＲＣは制御情報に付加されない。また、ＣＲＣの付加されていない制御情報のサイズが１２ビットと同一であるかまたは大きい場合、ＣＲＣは制御情報に付加される。
【００１５】
また、データと制御情報（例えば、ＣＱＩ／ＰＭＩまたはランク指示子（ＲＩ））を共に多重化してＵＬ−ＳＣＨで伝送することもできる。しかし、データが符号化（ｅｎｃｏｄｉｎｇ）される方式と制御情報が符号化される方式とが相互に異なったり、ｅＮＢが要求する、データのブロック誤り率（Ｂｌｏｃｋ  Ｅｒｒｏｒ  Ｒａｔｅ；ＢＬＥＲ）と制御情報のブロック誤り率とが互い異なることがある。したがって、データが伝送される変調次数、ＲＢ個数及びペイロードサイズを用いてデータが伝送される符号率（ｃｏｄｅ  ｒａｔｅ）が確認できるとしても、制御情報が伝送される符号率が確認できない他、データ及び制御情報は一緒に多重化してＵＬ−ＳＣＨで伝送されるから、データが伝送されるシンボルの個数も確認することができない。
【００１６】
このような問題点を解決するために、制御情報が伝送される符号率は、データが伝送される符号率に照らしてｅＮＢにより可変されうるようなオフセット（ｏｆｆｓｅｔ）だけ補正されるようにシステムが運営される。
【００１７】
このようにシステムが運営されるとしても、データが伝送される符号率は、事実上、データと一緒に多重化される情報によって変わることがあり、データが伝送されない場合はＣＱＩ／ＰＭＩ及びランク指示子などが伝送される符号率をユーザ機器（ＵＥ）が類推することができず、ＵＬ−ＳＣＨで伝送する種々の情報の組み合わせによって、伝送される情報（例えば、ＣＱＩ／ＰＭＩまたはランク指示子）の符号率を計算する方法が要求される。
【００１８】
一方、通信システムでは、データパケット（ｐａｃｋｅｔ）を伝送し、該データパケットの受信失敗によってデータパケットに誤りが生じた場合、該当のデータパケットが再伝送される。
【００１９】
データパケットを再伝送する時、データパケットを最初に伝送する時に使用した物理リソースを全部使用するのではなく、最初に受信したデータパケットと再伝送により受信したデータパケットを用いて復号化（ｄｅｃｏｄｉｎｇ）を行うと、データパケットの受信成功率が向上する。
【００２０】
例えば、通信システムにおいて最初のデータパケットが９０％確率で誤り無しに伝送されるように運営する場合、データパケットを再伝送する時に、最初の伝送時に比べて高い符号率でデータパケットを伝送してもシステム運営上に問題がない。高い符号率で伝送をするということは、データパケットを再伝送する時に使用する物理的伝送リソースを、最初の伝送時に比べて少なく使用するということを意味する。
【００２１】
ここで、データパケットを再伝送する時に、伝送可能な総シンボル個数を用いてＣＱＩ／ＰＭＩまたはランク指示子の符号率を計算すると、ＣＱＩ／ＰＭＩまたはランク指示子を安定して伝送できるような符号率とされない場合がある。そこで、データを再伝送する時、ＣＱＩ／ＰＭＩまたはランク指示子を安定的に伝送するための符号率設定する方法が要求される。
【００２２】
要するに、再伝送時に帯域を節約するための目的として、既存の端末は、再伝送される総情報ビット（例えば、データ、制御ビット）の量を減らすために基地局により制御されてきた。これがデータビットに対するエラー率を高めることはないが、再伝送されたペイロードデータは元来のペイロードデータと柔軟に結合されるからである。しかし、これら両信号の相応する制御情報は、復号化／変調のために結合しない。すなわち、一般的なシステムでは、再伝送される信号のトランケーテッド（ｔｒｕｎｃａｔｅｄ）制御ビットが符号率設定のために用いられ、結果として低い性能をもたらす。そこで、本発明は、新規の方法によって元来の制御情報を再使用することによって、上記のような低い性能を補完するためのものである。
【発明の概要】
【発明が解決しようとする課題】
【００２３】
データパケットが再伝送される時、ＣＱＩ／ＰＭＩまたはランク指示子の符号率がデータのシンボルの総数を用いて算出される場合、ＣＱＩ／ＰＭＩまたはランク指示子を安定的に伝送するための符号率とされない場合がある。したがって、データが再伝送される場合、安定してＣＱＩ／ＰＭＩまたはランク指示子を伝送するための符号率設定方法が要求される。
【００２４】
要するに、再伝送時に帯域を節約するための目的として、既存の端末は、再伝送される総情報ビット（例えば、データ、制御ビット）の量を減らすために基地局により制御されてきた。これがデータビットに対するエラー率を高めることはないが、再伝送されたペイロードデータは元来のペイロードデータと柔軟に結合されるからである。しかし、これら両信号の相応する制御情報は、復号化／変調のために結合しない。すなわち、一般的なシステムでは、再伝送される信号のトランケーテッド（ｔｒｕｎｃａｔｅｄ）制御ビットが符号率設定のために用いられ、結果として低い性能をもたらす。したがって、本発明は、新規の方法によって元来の制御情報を再使用することによって、上記のような低い性能を補完する。
【課題を解決するための手段】
【００２５】
したがって、本発明は、それぞれデータ及び制御情報を有する第１アップリンク信号及び第２アップリンク信号を伝送する方法及び装置を対象とする。この方法は、生成する制御情報のシンボルの数に基づいて第２アップリンク信号の制御情報をチャネル符号化することを含む。チャネル符号化は、第１アップリンク信号のデータのペイロードサイズと第１アップリンク信号のＰＵＳＣＨ（Ｐｈｙｓｉｃａｌ  Ｕｐｌｉｎｋ  Ｓｈａｒｅｄ  Ｃｈａｎｎｅｌ）の伝送可能な総シンボルの個数とによって、シンボルの数を決定することを含む。
【００２６】
好適には、前記決定するステップは、第２アップリンク信号の制御情報のペイロードサイズ及び第２アップリンク信号の制御情報に適用されるオフセット値によって、シンボルの個数を決定することを含むことができる。
【００２７】
好適には、上記方法は、第２アップリンク信号のデータをチャネル符号化して第２チャネル符号化されたデータを生成すること；第１符号化されたデータ及び第２符号化されたデータにチャネルインターリービングを行って第２アップリンク信号を生成すること；及び、第２アップリンク信号を伝送することをさらに含むことができる。
【００２８】
好適には、前記制御情報のシンボルの個数を
【００２９】
【化１】
0005625092.tif 000002
前記制御情報のペイロードサイズを
【００３０】
【化２】
0005625092.tif 000003
前記制御情報に適用されるオフセット値を
【００３１】
【化３】
0005625092.tif 000004
前記第１アップリンク信号のデータのペイロードサイズを
【００３２】
【化４】
0005625092.tif 000005
前記  第１アップリンク信号のＰＵＳＣＨの伝送可能な総シンボルの個数を
【００３３】
【化５】
0005625092.tif 000006
を天井（ｃｅｉｌｉｎｇ）関数とする時、前記
【００３４】
【化６】
0005625092.tif 000007
を満たす。
【００３５】
好適には、前記制御情報は、チャネル品質制御情報またはランク指示子であり、前記チャネル品質制御情報は、ＣＱＩ（Ｃｈａｎｎｅｌ  Ｑｕａｌｉｔｙ  Ｉｎｄｉｃａｔｉｏｎ）及びＰＭＩ（Ｐｒｅｃｏｄｉｎｇ  Ｍａｔｒｉｘ  Ｉｎｄｉｃａｔｏｒ）のうち少なくとも一つを含むことができる。
【００３６】
好適には、前記制御情報は、チャネル品質制御情報またはランク指示子であり、チャネル品質制御情報のペイロードサイズは、チャネル品質制御情報に付加されたＣＲＣ（Ｃｙｃｌｉｃ  Ｒｅｄｕｎｄａｎｃｙ  Ｃｈｅｃｋ）サイズを含むことができる。
【００３７】
好適には、上記方法は、第１アップリンク信号の前記データの前記ペイロードサイズと前記第１アップリンク信号の前記ＰＵＳＣＨの伝送可能なシンボルの総個数を、メモリまたはキャッシュから得ることをさらに含むことができる。
【００３８】
好適には、前記第２アップリンク信号の前記制御情報の前記シンボルの個数を
【００３９】
【化７】
0005625092.tif 000008
前記第２アップリンク信号の前記制御情報のペイロードサイズを
【００４０】
【化８】
0005625092.tif 000009
前記第１アップリンク信号のＰＵＳＣＨ伝送のためのサブフレーム別ＳＣ−ＦＤＭＡシンボルの個数を
【００４１】
【化９】
0005625092.tif 000010
前記第１アップリンク信号のＰＵＳＣＨのために割り当てられた帯域ＰＵＳＣＨ伝送を
【００４２】
【化１０】
0005625092.tif 000011
前記オフセット値を
【００４３】
【化１１】
0005625092.tif 000012
前記第１アップリンク信号の前記データのペイロードサイズを
【００４４】
【化１２】
0005625092.tif 000013
前記第１アップリンク信号の前記データのチャネルコーディング前における前記第１アップリンク信号の前記データのコードブロック個数をｒ、コードブロックの総個数をＣとする時、前記制御情報の前記シンボルの個数である
【００４５】
【化１３】
0005625092.tif 000014
を満たす。
【００４６】
また、それぞれ、データ及び制御情報を含む受信された第１アップリンク信号及び第２アップリンク信号を処理するための方法及び装置が提案される。この方法は、第１アップリンク信号のデータのペイロードサイズと、第２アップリンク信号の制御情報を生成するための第２アップリンク信号のＰＵＳＣＨの伝送可能なシンボルの総個数とを含むチャネル符号化されたデータをチャネル復号化することを含むことができる。
【００４７】
好適には、チャネル復号化するステップは、前記第２アップリンク信号の前記制御情報のペイロードサイズ及び前記第２アップリンク信号の前記制御情報に適用されるオフセット値を含むチャネル符号化されたデータをチャネル復号化することを含むことができる。
【００４８】
好適には、前記第２アップリンク信号の前記制御情報のシンボルの個数を
【００４９】
【化１４】
0005625092.tif 000015
前記第２アップリンク信号の前記制御情報のペイロードサイズを
【００５０】
【化１５】
0005625092.tif 000016
前記第１アップリンク信号のＰＵＳＣＨ（Ｐｈｙｓｉｃａｌ  Ｕｐｌｉｎｋ  Ｓｈａｒｅｄ  Ｃｈａｎｎｅｌ）伝送のためのサブフレーム別ＳＣ−ＦＤＭＡシンボルの個数
【００５１】
【化１６】
0005625092.tif 000017
を、前記第１アップリンク信号のＰＵＳＣＨのために割り当てられた帯域ＰＵＳＣＨ伝送を
【００５２】
【化１７】
0005625092.tif 000018
前記オフセット値を
【００５３】
【化１８】
0005625092.tif 000019
前記第１アップリンク信号の前記データのペイロードサイズを
【００５４】
【化１９】
0005625092.tif 000020
前記第１アップリンク信号の前記データのチャネルコーディング前における前記第１アップリンク信号の前記データのコードブロック個数をｒ、コードブロックの総個数をＣとする時、復号化ステップで復号化された制御情報のシンボル個数は、
【００５５】
【化２０】
0005625092.tif 000021
を満たす。
【発明の効果】
【００５６】
本発明によれば、アップリンクでデータ及び制御情報を伝送する時、データ及び制御情報の符号率を正確に計算してデータ及び制御情報を含むアップリンク信号を伝送することができる。
例えば、本発明は以下の項目を提供する。
（項目１）
それぞれ制御情報及びデータを含む第１アップリンク信号及び第２アップリンク信号を伝送する方法であって、
制御情報のシンボルの個数に基づいて上記第２アップリンク信号の上記制御情報をチャネル符号化し、第１チャネル符号化されたデータを生成することを含み、
上記チャネル符号化するステップは、上記第１アップリンク信号の上記データのペイロードサイズ及び上記第１アップリンク信号のＰＵＳＣＨ（Ｐｈｙｓｉｃａｌ  Ｕｐｌｉｎｋ  Ｓｈａｒｅｄ  Ｃｈａｎｎｅｌ）の伝送可能なシンボルの総個数によって上記シンボルの個数を決定することを含む、アップリンク信号伝送方法。
（項目２）
上記決定するステップは、上記第２アップリンク信号の上記制御情報のペイロードサイズ及び上記第２アップリンク信号の上記制御情報に適用されるオフセット値によって上記シンボルの個数を決定する、項目１に記載のアップリンク信号伝送方法。
（項目３）
上記第２アップリンク信号の上記データをチャネル符号化して、第２チャネル符号化されたデータを生成し、
上記第１チャネル復号化されたデータと上記第２チャネル復号化されたデータにチャネルインターリービングを行って、上記第２アップリンク信号を生成し、
上記第２アップリンク信号を伝送すること、
をさらに含む、項目１に記載のアップリンク信号伝送方法。
（項目４）
上記制御情報のシンボルの個数は、
【化２８１】
0005625092.tif 000022
を満たし、
ここで、上記制御情報のシンボルの個数が
【化２８２】
0005625092.tif 000023
上記制御情報のペイロードサイズが
【化２８３】
0005625092.tif 000024
上記オフセット値が
【化２８４】
0005625092.tif 000025
上記第１アップリンク信号の上記データのサイズが
【化２８５】
0005625092.tif 000026
上記第１アップリンク信号のＰＵＳＣＨの伝送可能なシンボルの総個数が
【化２８６】
0005625092.tif 000027
が天井（ｃｅｉｌｉｎｇ）関数である、項目２に記載のアップリンク信号伝送方法。
（項目５）
上記制御情報は、チャネル品質制御情報またはランク指示子であり、
上記チャネル品質制御情報は、ＣＱＩ（Ｃｈａｎｎｅｌ  Ｑｕａｌｉｔｙ  Ｉｎｄｉｃａｔｉｏｎ）及びＰＭＩ（Ｐｒｅｃｏｄｉｎｇ  Ｍａｔｒｉｘ  Ｉｎｄｉｃａｔｏｒ）のうち少なくとも一つを含む、項目１に記載のアップリンク信号伝送方法。
（項目６）
上記制御情報は、チャネル品質制御情報またはランク指示子であり、
上記チャネル品質制御情報のペイロードサイズは、上記チャネル品質制御情報に付加されたＣＲＣ（Ｃｙｃｌｉｃ  Ｒｅｄｕｎｄａｎｃｙ  Ｃｈｅｃｋ）のサイズを含む、項目１に記載のアップリンク信号伝送方法。
（項目７）
上記第１アップリンク信号の上記データのペイロードサイズと上記第１アップリンク信号のＰＵＳＣＨの伝送可能なシンボルの総個数をメモリまたはキャッシュから取り込むことをさらに含む、項目１に記載のアップリンク信号伝送方法。
（項目８）
制御情報のシンボルの個数は、
【化２８７】
0005625092.tif 000028
を満たし、
ここで、上記第２アップリンク信号の制御情報のシンボルの個数が
【化２８８】
0005625092.tif 000029
上記第２アップリンク信号の制御情報のペイロードサイズが
【化２８９】
0005625092.tif 000030
上記第１アップリンク信号のＰＵＳＣＨ伝送のためのサブフレーム当たりのＳＣ−ＦＤＭＡシンボルの個数が
【化２９０】
0005625092.tif 000031
上記第１アップリンク信号のＰＵＳＣＨ伝送のためにスケジューリングされた帯域ＰＵＳＣＨ伝送が
【化２９１】
0005625092.tif 000032
上記オフセット値が
【化２９２】
0005625092.tif 000033
上記第１アップリンク信号のデータのペイロードサイズが
【化２９３】
0005625092.tif 000034
上記第１アップリンク信号のデータのチャネルコーディング前における上記第１アップリンク信号のデータのコードブロック個数がｒ、コードブロック個数ｒのビット数がＫｒ、コードブロックの総個数がＣである、項目２に記載のアップリンク信号伝送方法。
（項目９）
受信された第１アップリンク信号及び第２アップリンク信号を処理する方法であって、
上記第１アップリンク信号及び上記第２アップリンク信号はそれぞれ制御情報及びデータを含み、
上記第１アップリンク信号のデータのペイロードサイズ及び上記第１アップリンク信号のためのＰＵＳＣＨ（Ｐｈｙｓｉｃａｌ  Ｕｐｌｉｎｋ  Ｓｈａｒｅｄ  Ｃｈａｎｎｅｌ）の伝送可能なシンボルの総個数を用いてチャネル符号化されたデータをチャネル復号化して、上記第２アップリンク信号の上記制御情報を生成する、アップリンク信号処理方法。
（項目１０）
上記チャネル復号化ステップは、上記第２アップリンク信号の上記制御情報のペイロードサイズ及び上記第２アップリンク信号の上記制御情報に適用されるオフセット値を用いて上記チャネル符号化されたデータをチャネル復号化する、項目９に記載のアップリンク信号処理方法。
（項目１１）
上記復号化ステップで復号化された制御情報のシンボルの個数は、
【化２９４】
0005625092.tif 000035
を満たし、
ここで、上記第２アップリンク信号の制御情報のシンボルの個数が
【化２９５】
0005625092.tif 000036
上記第２アップリンク信号の制御情報のペイロードサイズが
【化２９６】
0005625092.tif 000037
上記第１アップリンク信号のＰＵＳＣＨ伝送のためのサブフレーム当たりのＳＣ−ＦＤＭＡシンボルの個数が
【化２９７】
0005625092.tif 000038
上記第１アップリンク信号のＰＵＳＣＨ伝送のためにスケジューリングされた帯域ＰＵＳＣＨ伝送が
【化２９８】
0005625092.tif 000039
上記オフセット値が
【化２９９】
0005625092.tif 000040
上記第１アップリンク信号のデータのペイロードサイズが
【化３００】
0005625092.tif 000041
上記第１アップリンク信号のデータのチャネルコーディング前における上記第１アップリンク信号のデータのコードブロック個数がｒ、コードブロック個数ｒのビット数がＫｒ、コードブロックの総個数がＣである、項目１０に記載のアップリンク信号処理方法。
（項目１２）
それぞれデータ及び制御情報を含む第１アップリンク信号と第２アップリンク信号を伝送する装置であって、
ＲＦユニットと、
メモリと、
上記ＲＦユニット及び上記メモリと接続されるプロセッサと、
を含み、
上記プロセッサは、上記第１アップリンク信号のデータのペイロードサイズ及び上記第１アップリンク信号のＰＵＳＣＨ（Ｐｈｙｓｉｃａｌ  Ｕｐｌｉｎｋ  Ｓｈａｒｅｄ  Ｃｈａｎｎｅｌ）の伝送可能なシンボルの総個数によってシンボルの個数を決定すると、制御情報のシンボルの個数に基づいて上記第２アップリンク信号の制御情報をチャネル符号化して、第１チャネル符号化されたデータを生成するように構成される、アップリンク信号伝送装置。
（項目１３）
上記プロセッサは、上記第２アップリンク信号の制御情報のペイロードサイズと上記第２アップリンク信号の制御情報に適用されるオフセット値によって上記シンボルの個数を決定するように構成される、項目１２に記載のアップリンク信号伝送装置。
（項目１４）
上記プロセッサは、
上記第２アップリンク信号のデータをチャネル符号化して、第２チャネル符号化されたデータを生成し、
上記第１チャネル符号化されたデータ及び上記第２チャネル符号化されたデータにチャネルインターリービングを行って上記第２アップリンク信号を生成し、
上記第２アップリンク信号を伝送する、
ように構成される、項目１２に記載のアップリンク信号伝送装置。
（項目１５）
上記制御情報のシンボルの個数が
【化３０１】
0005625092.tif 000042
を満たし、
ここで、上記制御情報のシンボルの個数が
【化３０２】
0005625092.tif 000043
上記制御情報のペイロードサイズが
【化３０３】
0005625092.tif 000044
上記オフセット値が
【化３０４】
0005625092.tif 000045
上記第１アップリンク信号のデータのサイズが
【化３０５】
0005625092.tif 000046
上記第１アップリンク信号のＰＵＳＣＨの伝送可能な上記シンボルの総個数が
【化３０６】
0005625092.tif 000047
が天井（ｃｅｉｌｉｎｇ）関数である、項目１３に記載のアップリンク信号伝送装置。
（項目１６）
上記制御情報は、チャネル品質制御情報またはランク指示子であり、
上記チャネル品質制御情報は、ＣＱＩ（Ｃｈａｎｎｅｌ  Ｑｕａｌｉｔｙ  Ｉｎｄｉｃａｔｉｏｎ）及びＰＭＩ（Ｐｒｅｃｏｄｉｎｇ  Ｍａｔｒｉｘ  Ｉｎｄｉｃａｔｏｒ）のうち少なくとも一つを含む、項目１２に記載のアップリンク信号伝送装置。
（項目１７）
上記制御情報は、チャネル品質制御情報またはランク指示子であり、
上記チャネル品質制御情報のペイロードサイズは、上記チャネル品質制御情報に付加されたＣＲＣ（Ｃｙｃｌｉｃ  Ｒｅｄｕｎｄａｎｃｙ  Ｃｈｅｃｋ）のサイズを含む、項目１２に記載のアップリンク信号伝送装置。
（項目１８）
上記プロセッサは、
上記第１アップリンク信号のデータのペイロードサイズと上記第１アップリンク信号のＰＵＳＣＨの伝送可能なシンボルの総個数をメモリまたはキャッシュから取り込むように構成される、項目１２に記載のアップリンク信号伝送装置。
（項目１９）
上記制御情報のシンボルの個数は、
【化３０７】
0005625092.tif 000048
を満たし、
ここで、上記第２アップリンク信号の制御情報の上記シンボルの個数が
【化３０８】
0005625092.tif 000049
上記第２アップリンク信号の制御情報のペイロードサイズが
【化３０９】
0005625092.tif 000050
上記第１アップリンク信号のＰＵＳＣＨ伝送のためのサブフレーム当たりのＳＣ−ＦＤＭＡシンボルの個数が
【化３１０】
0005625092.tif 000051
上記第１アップリンク信号のＰＵＳＣＨ伝送のためにスケジューリングされた帯域ＰＵＳＣＨ伝送が
【化３１１】
0005625092.tif 000052
上記オフセット値が
【化３１２】
0005625092.tif 000053
上記第１アップリンク信号のデータのペイロードサイズが
【化３１３】
0005625092.tif 000054
上記第１アップリンク信号のデータのチャネルコーディング前における上記第１アップリンク信号のデータのコードブロック個数がｒ、コードブロック個数ｒのビット数がＫｒ、コードブロックの総個数がＣである、項目１３に記載のアップリンク信号伝送装置。
（項目２０）
それぞれ制御データ及び制御情報を含む第１アップリンク信号と第２アップリンク信号を受信する装置であって、
ＲＦユニットと、
メモリと、
上記ＲＦユニット及び上記メモリに接続されるプロセッサと、
を含み、
上記プロセッサは、
上記第１アップリンク信号のデータのペイロードのサイズと上記第１アップリンク信号のＰＵＳＣＨ（Ｐｈｙｓｉｃａｌ  Ｕｐｌｉｎｋ  Ｓｈａｒｅｄ  Ｃｈａｎｎｅｌ）の伝送可能なシンボルの総個数を用いて、チャネル符号化されたデータをチャネル復号化するように構成される、アップリンク信号受信装置。
（項目２１）
上記プロセッサは、上記第２アップリンク信号の制御情報のペイロードサイズと上記第２アップリンク信号の制御情報に適用されるオフセット値を用いて、上記チャネル符号化されたデータをチャネル復号化するように構成される、項目２０に記載のアップリンク信号受信装置。
（項目２２）
デコーダにより復号化された制御情報のシンボルの個数が、
【化３１４】
0005625092.tif 000055
を満たし、
ここで、上記第２アップリンク信号の制御情報のシンボルの個数が
【化３１５】
0005625092.tif 000056
上記第２アップリンク信号の制御情報のペイロードサイズが
【化３１６】
0005625092.tif 000057
上記第１アップリンク信号のＰＵＳＣＨ伝送のためのサブフレーム当たりのＳＣ−ＦＤＭＡシンボルの個数が
【化３１７】
0005625092.tif 000058
上記第１アップリンク信号のＰＵＳＣＨ伝送のためにスケジューリングされた帯域ＰＵＳＣＨ伝送が
【化３１８】
0005625092.tif 000059
上記オフセット値が
【化３１９】
0005625092.tif 000060
上記第１アップリンク信号のデータのペイロードサイズが
【化３２０】
0005625092.tif 000061
上記第１アップリンク信号のデータのチャネルコーディング前における上記第１アップリンク信号のデータのコードブロック個数がｒ、コードブロック個数ｒのビット数がＫｒ、コードブロックの総個数がＣである、項目２１に記載のアップリンク信号受信装置。
【図面の簡単な説明】
【００５７】
添付の図面は、本発明の理解を助けるために含まれ、本明細書の一部を構成するもので、発明の原理を説明するために提供される明細書と共に本発明の実施例を図示する。
【図１】ダウンリンク物理チャネルとダウンリンク伝送チャネル間のマッピング関係を示す図である。
【図２】アップリンク物理チャネルと伝送チャネル間のマッピング関係を示す図である。
【図３】ダウンリンク伝送チャネルと論理チャネル間のマッピング関係を示す図である。
【図４】アップリンク伝送チャネルと論理チャネル間のマッピング関係を示す図である。
【図５】タイプ１無線フレームの構造を示す図である。
【図６】タイプ２無線フレームの構造を示す図である。
【図７】ＬＴＥダウンリンクのスロット構造を示す図である。
【図８】ＬＴＥアップリンクのスロット構造を示す図である。
【図９】アップリンク伝送チャネルであるＵＬ−ＳＣＨを通じて伝送されるデータ及び制御情報の処理過程を示す図である。
【図１０】アップリンク伝送チャネルであるＵＬ−ＳＣＨを通じて伝送されるデータ及び制御情報の選択的な処理過程を示す図である。
【図１１】データ及び制御情報が多重化された後のサブフレームの構造を示す図である。
【図１２】本発明の一実施例によるＡＣＫ／ＮＡＣＫ情報とランク指示子が使用する変調コンステレーション座標の一例を示す図である。
【図１３】本発明の一実施例によるＡＣＫ／ＮＡＣＫ情報とランク指示子が使用する変調コンステレーション座標の一例を示す図である。
【図１４】データ再伝送を説明するためのＨＡＲＱ（Ｈｙｂｒｉｄ  Ａｕｔｏｍａｔｉｃ  Ｒｅｐｅａｔ  ｒｅｑｕｅｓｔ）過程を示す図である。
【図１５】本発明の一実施例によるデータ再伝送時のＭＣＳレファレンスの利用関係を説明する図である。
【図１６】本発明の一実施例によるユーザ機器の構成ブロック図である。
【図１７】本発明の一実施例によってユーザ機器（ＵＥ）またはｅＮＢになりうる装置５０の構成上の要素を示すブロック図である。
【発明を実施するための形態】
【００５８】
以下、本発明の好適な実施形態を、添付の図面を参照しつつ詳細に説明する。添付の図面と共に以下に開示される詳細な説明は、本発明の例示的な実施形態を説明するためのもので、本発明が実施されうる唯一の実施形態を提供するためのものではない。以下の詳細な説明は、本発明の完全な理解を助けるために具体的な細部事項を含む。ただし、当業者には、本発明がこのような具体的細部事項なしにも実施されうるということが理解される。例えば、以下の説明では一定の用語を中心に説明するが、これらの用語に限定されることはなく、任意の用語で説明される場合にも同じ意味を示すことができる。また、本明細書全体にわって同一のまたは類似の構成要素については同一の図面符号を使用して説明する。
【００５９】
図９は、アップリンク伝送チャネルであるＵＬ−ＳＣＨを通じて伝送されるデータ及び制御情報の処理過程を示す図である。
【００６０】
制御情報と一緒に多重化されるデータの転送ブロック（Ｔｒａｎｓｐｏｒｔ  Ｂｌｏｃｋ；以下、“ＴＢ”という。）に、ＴＢ用ＣＲＣ（Ｃｙｃｌｉｃ  Ｒｅｄｕｎｄａｎｃｙ  Ｃｈｅｃｋ）を付着した後（Ｓ９０１）、ＣＲＣ付きデータは、ＴＢのサイズによって複数のコードブロック（Ｃｏｄｅ  ｂｌｏｃｋ；以下、“ＣＢ”という。）に分けられ（Ｓ９０２）、これらのＣＢにはＣＢ用ＣＲＣが付着され（Ｓ９０３）、これらのＣＲＣ付きＣＢにチャネルコーディングが行われる（Ｓ９０４）。これらのチャネルコーディングされたデータは、レートマッチング（Ｒａｔｅ  Ｍａｔｃｈｉｎｇ）を経て（Ｓ９０５）、互いに結合する（Ｓ９０６）。これら結合したＣＢは、以降、制御信号と多重化される（Ｓ９０７）。
【００６１】
一方、ＣＱＩ／ＰＭＩは、ＣＲＣが付着された後（Ｓ９０８）に、データと別に、チャネルコーディングされる（Ｓ９０９）。チャネルコーディングされたＣＱＩ／ＰＭＩは、レートマッチング後に（Ｓ９１０）、データと多重化される（Ｓ９０７）。ここでは、チャネルコーディング過程とレートマッチング過程とを別の過程として説明したが、場合によっては、チャネルコーディング過程がレートマッチング過程を含むこともできる。
【００６２】
また、ランク（Ｒａｎｋ）情報も同様、データと別にチャネルコーディングされることもできる（Ｓ９１１）。チャネルコーディングされたランク情報は、レートマッチングされる（Ｓ９１２）。ここで、チャネルコーディング過程とレートマッチング過程を別の過程として説明したが、場合によっては、チャネルコーディング過程がレートマッチング過程を含むこともできる。
【００６３】
多重化されたデータ及びＣＱＩ／ＰＭＩ及びランク情報は、チャネルインターリービング（Ｃｈａｎｎｅｌ  Ｉｎｔｅｒｌｅａｖｉｎｇ）される（Ｓ９１３）。
【００６４】
ＡＣＫ（ＡＣＫｎｏｗｌｅｄｇｍｅｎｔ）／ＮＡＣＫ（Ｎｅｇａｔｉｖｅ  ＡＣＫｎｏｗｌｅｄｇｅｍｅｎｔ）信号は、データ、ＣＱＩ／ＰＭＩ及びランク指示子とは別にチャネルコーディングされ（Ｓ９１４）、ＡＣＫ／ＮＡＣＫ情報は、チャネルインターリービングされた信号の一部をパンクチャリング（ｐｕｎｃｔｕｒｉｎｇ）するなどして挿入され、ＡＣＫ／ＮＡＣＫ信号の挿入されたインターリービングされた信号は、物理リソース（ｐｈｙｓｉｃａｌ  ｒｅｓｏｕｒｃｅ）マッピングされた後（Ｓ９１５）、アップリンクで伝送される。
【００６５】
チャネルコーディングされた特定のサイズのデータ、ＣＱＩ／ＰＭＩ及びランク指示子は、レートマッチングを通じて、物理層で伝送されるシンボルまたはビット（ｂｉｔ）の数にサイズが変形される。この場合、データ、ＣＱＩ／ＰＭＩ及びランク指示子別に、物理層で伝送されるシンボルまたはビットの数が存在しなければならない。
【００６６】
図１０は、アップリンク伝送チャネルであるＵＬ−ＳＣＨを通じて伝送されたデータ及び制御情報の選択的な処理過程を示す図である。
【００６７】
エラー検出は、Ｓ１００段階でＣＲＣ（Ｃｙｃｌｉｃ  Ｒｅｄｕｎｄａｎｃｙ  Ｃｈｅｃｋ）を通じてＵＬ−ＳＣＨ伝送ブロックについて提供される。
【００６８】
全体伝送ブロックは、ＣＲＣパリティビットを計算するために用いられる。第１層に送られる伝送ブロックのビットは
【００６９】
【化２１】
0005625092.tif 000062
で示される。パリティビットは
【００７０】
【化２２】
0005625092.tif 000063
で示される。伝送ブロックのサイズはＡであり、パリティビットの数はＬである。
【００７１】
コードブロック分割とコードブロックＣＲＣ付加は、Ｓ１１０段階で、伝送ブロックＣＲＣ付加の後に実行される。Ｂが伝送ブロック（ＣＲＣを含む）のビットの数であれば、コードブロック分割に対するビット入力は
【００７２】
【化２３】
0005625092.tif 000064
で示される。ｒがコードブロック個数、Ｋｒがコードブロック個数ｒのためのビット数であれば、コードブロック分割後のビットは、
【００７３】
【化２４】
0005625092.tif 000065
で示される。
【００７４】
チャネルコーディングは、Ｓ１２０段階で、コードブロック分割とコードブロックＣＲＣの後に実行される。
【００７５】
【化２５】
0005625092.tif 000066
がコードブロック個数ｒのためのコーディングされたｉ番目のストリーム、すなわち、
【００７６】
【化２６】
0005625092.tif 000067
であれば、符号化された後のビットは、
【００７７】
【化２７】
0005625092.tif 000068
で示される。
【００７８】
レートマッチングは、Ｓ１３０段階で、チャネルコーディング後にターボ（Ｔｕｒｂｏ）コーディングされたブロックに行われる。レートマッチングした後、ｒはコーディングされたブロック個数、
【００７９】
【化２８】
0005625092.tif 000069
がコードブロック個数ｒのためのレートマッチされたビットの数であれば、前記ビットは、
【００８０】
【化２９】
0005625092.tif 000070
で示される。
【００８１】
コードブロック結合は、Ｓ１４０段階で、レートマッチング後に実行される。制御情報がＵＬ−ＳＣＨ伝送と共に多重化された場合、Ｇが、制御伝送のために用いられるビットを除く伝送のためのコーディングされたビットの総数であれば、コードブロック結合後のビットは、
【００８２】
【化３０】
0005625092.tif 000071
で示される。
【００８３】
チャネル品質情報のチャネルコーディングは、Ｓ１５０段階で、
【００８４】
【化３１】
0005625092.tif 000072
入力シーケンスを用いて行われる。チャネル品質情報のチャネルコーディングのための出力シーケンスは、
【００８５】
【化３１−１】
0005625092.tif 000073
で示される。
【００８６】
ＲＩのチャネルコーディングは、Ｓ１６０段階で、入力シーケンス
【００８７】
【化３２】
0005625092.tif 000074
を用いて行われる。
【００８８】
【化３３】
0005625092.tif 000075
はそれぞれ、１ビットＲＩと２ビットＲＩを意味する。
【００８９】
ＨＡＲＱ−ＡＣＫのチャネルコーディングは、Ｓ１７０段階で、入力シーケンス
【００９０】
【化３４】
0005625092.tif 000076
で行われる。それぞれのＡＣＫ（ａｃｋｎｏｗｌｅｄｇｅｍｅｎｔ）は、２進の‘１’に符号化され、それぞれのＮＡＣＫ（ｎｅｇａｔｉｖｅ  ａｃｋｎｏｗｌｅｄｇｅｍｅｎｔ）は、２進の‘０’に符号化される。ＨＡＲＱ−ＡＣＫは、コードワード０のためのＡＣＫ／ＮＡＣＫビットに該当する
【００９１】
【化３５】
0005625092.tif 000077
とコードワード１のためのＡＣＫ／ＮＡＣＫビットに該当する
【００９２】
【化３６】
0005625092.tif 000078
によって、１ビット情報
【００９３】
【化３７】
0005625092.tif 000079
または２ビット情報
【００９４】
【化３８】
0005625092.tif 000080
で構成されることができる。
【００９５】
また、ＨＡＲＱ−ＡＣＫは、２ビット以上の情報で構成されることもできる。すなわち、
【００９６】
【化３９】
0005625092.tif 000081
で構成されることができる。
【００９７】
【化４０】
0005625092.tif 000082
が、全ての符号化されたＨＡＲＱ−ＡＣＫブロックのためのコーディングされたビットの総個数であれば、ビットシーケンス
【００９８】
【化４１】
0005625092.tif 000083
は、多数の符号化されたＨＡＲＱ−ＡＣＫの結合により得られる。
【００９９】
データと制御情報との多重化への入力は、Ｓ１８０段階で、
【０１００】
【化４２】
0005625092.tif 000084
で示されるＵＬ−ＳＣＨのコーディングされたビット及び
【０１０１】
【化４３】
0005625092.tif 000085
で示される制御情報のコーディングされたビットである。
【０１０２】
【化４４】
0005625092.tif 000086
であり、
【０１０３】
【化４５】
0005625092.tif 000087
のコラムベクトルであれば、データと制御情報との多重化動作の出力は、
【０１０４】
【化４６】
0005625092.tif 000088
で示される。Ｈは、ＵＬ−ＳＣＨデータとＣＱＩ／ＰＭＩ情報のために割り当てられたコーディングされたビットの総個数である。
【０１０５】
チャネルインターリービングは、
【０１０６】
【化４７】
0005625092.tif 000089
で示されるデータと制御情報との多重化動作の出力、
【０１０７】
【化４８】
0005625092.tif 000090
で示される符号化されたランク指示子、
【０１０８】
【化４９】
0005625092.tif 000091
で示される符号化されたＨＡＲＱ−ＡＣＫを用いて行われる。
【０１０９】
チャネルインターリービング後のビットは、
【０１１０】
【化５０】
0005625092.tif 000092
で示される。サブフレームで変調シンボルの個数は
【０１１１】
【化５１】
0005625092.tif 000093
で与えられる。
【０１１２】
図１１は、データ及び制御情報が多重化された後のサブフレームの構造を示す図である。すなわち、データ、ＣＱＩ／ＰＭＩ、ランク指示子及びＡＣＫ／ＮＡＣＫ情報が物理層で適切に多重化された後のサブフレームは、図１１のように示される。
【０１１３】
以下、データがＵＬ−ＳＣＨで伝送される場合に、データ及び制御情報の符号率（Ｃｏｄｅ  Ｒａｔｅ）を計算する方法について説明する。
【０１１４】
データが別の情報（例えば、ＣＱＩ／ＰＭＩ情報またはランク指示子のうち少なくとも一つ）と同時に伝送される時、データと一緒に伝送される別の情報は、レートマッチングされた後にデータと多重化されるから、データが伝送される時、データが伝送されるシンボルの個数と、データと一緒に伝送される別の情報のシンボルの個数が必要とされる。ここで、‘伝送されるシンボルの個数’とは、レートマッチングを通じて出力されるシンボルの個数を意味する。したがって、本発明でいう‘伝送されるシンボルの個数’は、レートマッチングを通じて出力されるシンボルの個数とする。
【０１１５】
また、本発明では、ペイロードサイズは、ＭＡＣ（ｍｅｄｉｕｍ  ａｃｃｅｓｓ  ｃｏｎｔｒｏｌ）層から伝送された情報のサイズ（例えば、データのサイズまたは制御情報のサイズ）と物理層の情報に任意的に付加されたＣＲＣのサイズとの和とすることができる。制御情報にＣＲＣが付加される前における制御情報のサイズによってＣＲＣは制御情報に付加されない場合もあり、よって、制御情報のペイロードはＣＲＣのサイズを含まないこともある。特に、ＣＲＣの付加されていない制御情報のサイズが１１ビットと同一であるかまたは小さい場合、ＣＲＣは制御情報に付加されない。また、ＣＲＣの付加されていない制御情報のサイズが１２ビットと同一であるかまたは大きい場合、ＣＲＣは制御情報に付加される。
【０１１６】
もし、データが伝送される符号率変調次数（Ｍｏｄｕｌａｔｉｏｎ  Ｏｒｄｅｒ）を正確に知っていると、符号率と変調次数を用いてレファレンスＭＣＳ（Ｒｅｆｅｒｅｎｃｅ  Ｍｏｄｕｌａｔｉｏｎ  Ｃｏｄｉｎｇ  Ｓｃｈｅｍｅ）を定義し、該レファレンスＭＣＳと別の情報のオフセット情報を用いて、データと一緒に伝送される別の情報のＭＣＳを推定することができる。
【０１１７】
ここで、データの符号率と変調次数によって得られるスペクトラル効率（Ｓｐｅｃｔｒａｌ  Ｅｆｆｉｃｉｅｎｃｙ）の逆数を
【０１１８】
【化５２】
0005625092.tif 000094
は、下記の数学式１で計算することができる。
【０１１９】
【数１】
0005625092.tif 000095
レファレンス（ｒｅｆｅｒｅｎｃｅ）ＭＣＳを
【０１２０】
【化５３】
0005625092.tif 000096
とし、ＣＱＩ／ＰＭＩペイロードサイズを
【０１２１】
【化５４】
0005625092.tif 000097
とし、データのブロック誤り率とＣＱＩ／ＰＭＩのブロック誤り率との差、及びデータの符号化される方式とＣＱＩ／ＰＭＩの符号化される方式による差を補償するオフセット値をｄＢ単位で表した変数を
【０１２２】
【化５５】
0005625092.tif 000098
とする時、ＣＱＩ／ＰＭＩが伝送されるシンボルの個数
【０１２３】
【化５６】
0005625092.tif 000099
は、下記の数学式２で計算することができる。
【０１２４】
【数２】
0005625092.tif 000100
上記の数学式２で、
【０１２５】
【化５７】
0005625092.tif 000101
は、天井関数を表し、天井関数は、シンボル内の値より大きいかまたは等しい最小の整数値を有する関数を表す。例えば、
【０１２６】
【化５８】
0005625092.tif 000102
は、２．３より大きいかまたは等しい最小の整数３を表す。
【０１２７】
また、レファレンス（ｒｅｆｅｒｅｎｃｅ）ＭＣＳを
【０１２８】
【化５９】
0005625092.tif 000103
とし、ランク指示子のペイロードサイズを
【０１２９】
【化６０】
0005625092.tif 000104
とし、データのブロック誤り率とランクのブロック誤り率との差及びデータが符号化される方式とランク指示子が符号化される方式による差を補償するオフセット値をｄＢ単位で表した変数を
【０１３０】
【化６１】
0005625092.tif 000105
とする時、ランク指示子が伝送されるシンボルの個数である
【０１３１】
【化６２】
0005625092.tif 000106
は、下記の数学式３で表現することができる。
【０１３２】
【数３】
0005625092.tif 000107
レファレンスＭＣＳとされるデータの符号率と変調次数を知っていると、ＣＱＩ／ＰＭＩが伝送されるシンボルの個数とランク指示子が伝送されるシンボルの個数を計算することができる。ただし、ｅＮＢが、ＵＬ−ＳＣＨでデータを伝送する旨命令する場合に、ｅＮＢはユーザ機器（ＵＥ）に、データと別の情報とが多重化された時に伝送可能な総シンボルの個数、データが伝送されるペイロードサイズ、及びデータの変調次数のみを知らせる。したがって、レファレンスＭＣＳを計算するためには、ユーザ機器（ＵＥ）とｅＮＢ間には合意が必要とされる。
【０１３３】
（実施例１−Ａ）
図９に示すように、データとＣＱＩ／ＰＭＩ及びランク指示子が共に伝送される場合、データとＣＱＩ／ＰＭＩ及びランク指示子は、レートマッチングされた後に多重化される。この場合、データ、ＣＱＩ／ＰＭＩ及びランク指示子のそれぞれが伝送されるシンボルの個数を計算するには、複雑な閉形式（ｃｌｏｓｅｄ  ｆｏｒｍ）の数式または反復（ｉｔｅｒａｔｉｖｅ）数式を用いなければならない。
【０１３４】
そこで、本発明では、レファレンスＭＣＳを簡略に計算する方法を提案する。しかし、レファレンスＭＣＳを計算する方法が簡略化すると、各情報の正確な符号率が適用されないことがある。
【０１３５】
このレファレンスＭＣＳを計算する方法は、ＣＱＩ／ＰＭＩまたはランク指示子は伝送されずに、ＵＬ−ＳＣＨでデータのみが伝送されると仮定し、データの符号率と変調次数を用いる。
【０１３６】
具体的に、レファレンス符号率を、下記の数学式４を用いて計算することができる。
【０１３７】
【数４】
0005625092.tif 000108
ここで、
【０１３８】
【化６３】
0005625092.tif 000109
は、レファレンス符号率を表し、
【０１３９】
【化６４】
0005625092.tif 000110
は、データのペイロードサイズを表し、
【０１４０】
【化６５】
0005625092.tif 000111
は、レファレンス変調次数であるデータの変調次数を表す。
【０１４１】
【化６６】
0005625092.tif 000112
は、ＵＬ−ＳＣＨでデータを伝送する時に物理チャネル（Ｐｈｙｓｉｃａｌ  Ｃｈａｎｎｅｌ）の伝送可能な総シンボルの個数を表す。本発明で、
【０１４２】
【化６７】
0005625092.tif 000113
が伝送ブロックのための現在サブフレームのＰＵＳＣＨ伝送のためにスケジューリングされた帯域であり、
【０１４３】
【化６８】
0005625092.tif 000114
が、現在サブフレームのＰＵＳＣＨ伝送のＳＣ−ＦＤＭＡシンボルの個数であれば、
【０１４４】
【化６９】
0005625092.tif 000115
に対応する。
したがって、
【０１４５】
【化７０】
0005625092.tif 000116
で表現されるレファレンスＭＣＳを、下記の数学式５を用いて計算することができる。
【０１４６】
【数５】
0005625092.tif 000117
ここで、
【０１４７】
【化７１】
0005625092.tif 000118
はレファレンス符号率を表し、
【０１４８】
【化７２】
0005625092.tif 000119
はデータのペイロードサイズを表し、
【０１４９】
【化７３】
0005625092.tif 000120
は、レファレンス変調次数であるデータの変調次数を表す。
【０１５０】
【化７４】
0005625092.tif 000121
は、ＵＬ−ＳＣＨでデータを伝送する時に物理チャネルの伝送可能な総シンボルの個数を表す。
【０１５１】
一般に、データには誤り検査（ｅｒｒｏｒ  ｃｈｅｃｋｉｎｇ）のためにＣＲＣが付加される。上記の数学式４及び５では、データのペイロードサイズ
【０１５２】
【化７５】
0005625092.tif 000122
をＣＲＣを含む値と定義したが、単純近似のためにＣＲＣを含めなくても良い。
【０１５３】
（実施例１−Ａの適用：データとＣＱＩ／ＰＭＩが共に伝送される場合）
データとＣＱＩ／ＰＭＩとがＵＬ−ＳＣＨで伝送される場合、データのペイロードサイズ
【０１５４】
【化７６】
0005625092.tif 000123
を用いてレファレンスＭＣＳを計算し、ＣＱＩ／ＰＭＩが最終的に伝送されるシンボルの個数を、下記の数学式６を用いて計算することができる。
【０１５５】
【数６】
0005625092.tif 000124
ここで、
【０１５６】
【化７７】
0005625092.tif 000125
は、ＣＱＩ／ＰＭＩのペイロードサイズを表し、
【０１５７】
【化７８】
0005625092.tif 000126
は、データのブロック誤り率とＣＱＩ／ＰＭＩのブロック誤り率との差及びデータの符号化される方式とＣＱＩ／ＰＭＩの符号化される方式による差を補償するオフセット値をｄＢ単位で表した変数を表し、
【０１５８】
【化７９】
0005625092.tif 000127
は、レートマッチング後のＣＱＩ／ＰＭＩが伝送されるシンボルの個数を表す。
【０１５９】
上記数学式６を用いてＣＱＩ／ＰＭＩが伝送されるシンボルの個数
【０１６０】
【化８０】
0005625092.tif 000128
が計算されると、データが伝送されるシンボルの個数
【０１６１】
【化８１】
0005625092.tif 000129
は、下記の数学式７を用いて計算することができる。
【０１６２】
【数７】
0005625092.tif 000130
ここで、
【０１６３】
【化８２】
0005625092.tif 000131
は、ＵＬ−ＳＣＨでデータを伝送する時に物理チャネルの伝送可能な総シンボルの個数を表す。データ及びＣＱＩ／ＰＭＩはレートマッチングされた後に多重化されるため、
【０１６４】
【化８３】
0005625092.tif 000132
を除外したシンボルの個数が
【０１６５】
【化８４】
0005625092.tif 000133
となる。
【０１６６】
（実施例１−Ａの適用：データとランク指示子が共に伝送される場合）
データとランク指示子がＵＬ−ＳＣＨで伝送される場合は、データとＣＱＩ／ＰＭＩが共に伝送される場合と同様に、下記の数学式８を用いてランク指示子が伝送されるシンボルの個数
【０１６７】
【化８５】
0005625092.tif 000134
を計算する。
【０１６８】
【数８】
0005625092.tif 000135
ここで、
【０１６９】
【化８６】
0005625092.tif 000136
は、ランク指示子のペイロードサイズを表し、
【０１７０】
【化８７】
0005625092.tif 000137
は、データのブロック誤り率とランク指示子のブロック誤り率との差及びデータの符号化される方式とランク指示子の符号化される方式による差を補償するオフセット値をｄＢ単位で表した変数を表し、
【０１７１】
【化８８】
0005625092.tif 000138
は、ランク指示子が伝送されるシンボルの個数を表す。
【０１７２】
上記の数学式８を用いて
【０１７３】
【化８９】
0005625092.tif 000139
が計算されたら、逆に、データが伝送されるシンボルの個数
【０１７４】
【化９０】
0005625092.tif 000140
を、下記の数学式９を用いて計算することができる。
【０１７５】
【数９】
0005625092.tif 000141
ここで、
【０１７６】
【化９１】
0005625092.tif 000142
は、ＵＬ−ＳＣＨでデータを伝送する時に物理チャネルの伝送可能な総シンボルの個数を表す。データとランク指示子はレートマッチングされた後に多重化されるため、
【０１７７】
【化９２】
0005625092.tif 000143
を除外したシンボルの個数は、データのシンボル個数
【０１７８】
【化９３】
0005625092.tif 000144
となる。
【０１７９】
（実施例１−Ａの適用：データ、ＣＱＩ／ＰＭＩ及びランク指示子が共に伝送される場合）
データ、ＣＱＩ／ＰＭＩ及びランク指示子が共に伝送されると、ＣＱＩ／ＰＭＩの伝送されたシンボルの個数
【０１８０】
【化９４】
0005625092.tif 000145
及びランク指示子の伝送されたシンボルの個数
【０１８１】
【化９５】
0005625092.tif 000146
は、下記のレファレンスＭＣＳを用いて計算することができる。
【０１８２】
データ、ＣＱＩ／ＰＭＩ及びランク指示子が共に伝送される場合は、まず、レファレンスＭＣＳを用いて下記の数学式１０及び数学式１１で
【０１８３】
【化９６】
0005625092.tif 000147
を計算する。
【０１８４】
【数１０】
0005625092.tif 000148
【０１８５】
【数１１】
0005625092.tif 000149
【０１８６】
【化９７】
0005625092.tif 000150
が得られると、下記の数学式１２を用いて
【０１８７】
【化９８】
0005625092.tif 000151
を計算する。
【０１８８】
【数１２】
0005625092.tif 000152
ユーザ機器（ＵＥ）とｅＮＢ間においてデータ、ＣＱＩ／ＰＭＩ及びランクの正確な復号化（ｄｅｃｏｄｉｎｇ）のためには、上述した計算が全て正確に行われる必要がある。しかし、上記の数学式には
【０１８９】
【化９９】
0005625092.tif 000153
などが含まれているため、計算結果に無理数の値が含まれることがある。したがって、ユーザ機器（ＵＥ）とｅＮＢで乗算、除算そして
【０１９０】
【化１００】
0005625092.tif 000154
などを計算する方法によってユーザ機器（ＵＥ）とｅＮＢでの計算結果が異なってくることになる。
【０１９１】
したがって、除算による計算結果に余り（ｒｅｍａｉｎｄｅｒ）を生じさせない、ＣＱＩ／ＰＭＩとランク指示子が伝送されるシンボルの個数を計算する方法を提案する。
【０１９２】
ＣＱＩ／ＰＭＩとランク指示子が伝送されるシンボルの個数は、下記の数学式１３を用いて計算する。
【０１９３】
【数１３】
0005625092.tif 000155
上記の数学式１３で、
【０１９４】
【化１０１】
0005625092.tif 000156
は、情報Ｘのペイロードサイズを表し、
【０１９５】
【化１０２】
0005625092.tif 000157
は、データの復号化される方式と情報Ｘの復号化される方式との差を補償するためのオフセット値をｄＢ単位で表示する変数を表し、
【０１９６】
【化１０３】
0005625092.tif 000158
は、情報Ｘが伝送されるシンボルの個数を表す。情報Ｘは、ＣＱＩ／ＰＭＩまたはランク指示子とすることができる。
【０１９７】
上記の数学式１３でユーザ機器（ＵＥ）とｅＮＢで異なって計算されうる部分は、
【０１９８】
【化１０４】
0005625092.tif 000159
と上記の数学式５で定義された
【０１９９】
【化１０５】
0005625092.tif 000160
である。ユーザ機器（ＵＥ）とｅＮＢは、
【０２００】
【化１０６】
0005625092.tif 000161
を量子化された（ｑｕａｎｔｉｚｅｄ）値とあらかじめ定義することを約束することができる。
【０２０１】
【化１０７】
0005625092.tif 000162
を量子化した結果を下記の表１に表す。例えば、ＵＥ及びｅＮＢは、
【０２０２】
【化１０８】
0005625092.tif 000163
を表１に表すように量子化された値と定義することができる。下記の表１で、
【０２０３】
【化１０９】
0005625092.tif 000164
の量子化値を表す。
【０２０４】
【化１１０】
0005625092.tif 000165
の端数部分（ｆｒａｃｔｉｏｎａｌ  ｐａｒｔ）は、Ｎビットで表現することができる。表１で、
【０２０５】
【化１１１】
0005625092.tif 000166
の量子化した結果値は、その端数部分が６ビットで表現される。
【０２０６】
【表１】
0005625092.tif 000167
下記の表２及び３は、情報ＸがＣＱＩ／ＰＭＩまたはランク指示子の場合、
【０２０７】
【化１１２】
0005625092.tif 000168
の計算された結果を表すものである。
【０２０８】
【表２】
0005625092.tif 000169
【０２０９】
【表３】
0005625092.tif 000170
【０２１０】
【化１１３】
0005625092.tif 000171
は様々な値を有しうるから、ｅＮＢとユーザ機器（ＵＥ）間に
【０２１１】
【化１１４】
0005625092.tif 000172
を量子化された値と定義するためには、ユーザ機器（ＵＥ）とｅＮＢが多数の値を格納していなければならない。しかし、量子化された値を格納しないためには、小数計算結果を発生させる除算を除去しなければならない。
【０２１２】
数学式１３及び数学式５を用いて、情報Ｘの伝送されたシンボルの個数
【０２１３】
【化１１５】
0005625092.tif 000173
を下記のように得ることができる。
【０２１４】
【数１４】
0005625092.tif 000174
上記の数学式１４で、
【０２１５】
【化１１６】
0005625092.tif 000175
側に移項することができる。この時、天井関数内にある値を移項する時には、等号（“＝”）を不等号（“≧”）に変換して移項可能にする。すなわち、天井（ｃｅｉｌｉｎｇ）関数でＺがＺ・Ｘ≧Ｙを満たす最小整数である条件であれば、
【０２１６】
【化１１７】
0005625092.tif 000176
はＺ・Ｘ≧Ｙと表現することができる。
【０２１７】
したがって、量子化問題を解決するために、物理チャネルを通じて伝送された情報Ｘの伝送されたシンボルの個数を計算する式を、下記のように定義することができる。
【０２１８】
【数１５】
0005625092.tif 000177
ここで、
【０２１９】
【化１１８】
0005625092.tif 000178
は、ＵＬ−ＳＣＨでデータを伝送する時に物理チャネルの伝送可能な総シンボルの個数を表し、
【０２２０】
【化１１９】
0005625092.tif 000179
は、データのペイロードサイズを表し、
【０２２１】
【化１２０】
0005625092.tif 000180
は、情報Ｘのペイロードサイズを表し、
【０２２２】
【化１２１】
0005625092.tif 000181
は、情報Ｘの伝送されたシンボルの個数を表し、
【０２２３】
【化１２２】
0005625092.tif 000182
を量子化した値である。
【０２２４】
【化１２３】
0005625092.tif 000183
が与えられる時、
【０２２５】
【化１２４】
0005625092.tif 000184
は、上記の数学式１５を満たす最小の整数（ｉｎｔｅｇｅｒ）値である。
【０２２６】
さらに、
【０２２７】
【化１２５】
0005625092.tif 000185
は、１よりも大きい値であるから、
【０２２８】
【化１２６】
0005625092.tif 000186
の逆数、すなわち
【０２２９】
【化１２７】
0005625092.tif 000187
値を上記の数学式１５で使用することができる。
【０２３０】
【化１２８】
0005625092.tif 000188
を使用する理由は、
【０２３１】
【化１２９】
0005625092.tif 000189
を量子化する時には整数値と小数値を記憶しなければならないが、
【０２３２】
【化１３０】
0005625092.tif 000190
は、小数値のみを記憶すればいいからである。したがって、上記量子化問題を解決するために、情報Ｘが物理チャネルを通じて伝送されるシンボルの個数を計算する上記の数学式１５は、下記の数学式１６のように定義することができる。
【０２３３】
【数１６】
0005625092.tif 000191
ここで、
【０２３４】
【化１３１】
0005625092.tif 000192
が与えられる時、
【０２３５】
【化１３２】
0005625092.tif 000193
は、上記の数学式１６を満たす最小の整数値である。
【０２３６】
上記の実施例１−Ａでは、ＣＱＩ／ＰＭＩまたはランク指示子は伝送されずに、ＵＬ−ＳＣＨでデータのみが伝送されるとの仮定下に、データの符号率及び変調次数を用いてレファレンスＭＣＳを計算したため、レファレンスＭＣＳ値が正確でないこともあるという問題がある。
【０２３７】
すなわち、上記の実施例１−Ａでは、各情報（すなわち、データ、ＣＱＩ／ＰＭＩ及びランク指示子）別に正確なレファレンス符号率が適用されない。レファレンス符号率（Ｒｅｆｅｒｅｎｃｅ  Ｃｏｄｅ  Ｒａｔｅ）をデータ符号率と仮定すれば、データ符号率は、ＣＱＩ／ＰＭＩとランク指示子が全体情報量においてどれだけを占めるかを知る場合にのみわかり、ＣＱＩ／ＰＭＩとランク指示子が全体情報量においてどれだけを占めるかは、データコードレートを知る場合にのみわかるわけである。
【０２３８】
実施例１−Ｂ
本発明の実施例１−Ｂは、全体伝送されるシンボルの個数は、データ、ＣＱＩ／ＰＭＩ及びランク指示子がＵＬ−ＳＣＨで伝送されるシンボル個数の和という事実に着目し、閉形式（Ｃｌｏｓｅｄ  Ｆｏｒｍ）でデータ、ＣＱＩ／ＰＭＩそしてランク指示子のレファレンス符号率を一度で計算することを提案する。すなわち、レファレンスＭＣＳ値を未知の変数と仮定し、データが伝送されるシンボルの個数をレファレンスＭＣＳ値の関数で表現し、ＣＱＩ／ＰＭＩとランク指示子が伝送されるシンボル個数もレファレンスＭＣＳ値の関数で表現すると、データ、ＣＱＩ／ＰＭＩそしてランク指示子が伝送される総シンボル個数がわかり、正確なレファレンスＭＣＳ値を求めることができる。
【０２３９】
（実施例１−Ｂの適用：データとＣＱＰ／ＰＭＩが共に伝送される場合）
データとＣＱＩ／ＰＭＩのみがＵＬ−ＳＣＨで共に伝送される場合、ＵＬ−ＳＣＨで伝送される総シンボル数は、ＣＱＩ／ＰＭＩが最終的に伝送されるシンボルの個数とデータが最終的に伝送されるシンボルの個数との和で表すことができる。したがって、ＣＱＩ／ＰＭＩが最終的に伝送されるシンボル数を計算する公式とデータが最終的に伝送されるシンボル数を計算する公式を用いて、レファレンスＭＣＳを計算し、計算されたＭＣＳレファレンスを用いてデータを伝送するためのシンボルの個数を求め、またＣＱＩ／ＰＭＩが伝送されるシンボルの個数を計算する。
【０２４０】
すなわち、下記の数学式１７を用いてデータが伝送されるシンボルの個数を求める。この時、ＣＱＩ／ＰＭＩが最終的に伝送されるシンボルの個数を、データが最終的に伝送されるシンボルの個数の関数で表現し、下記の数学式１８のように閉形式の方程式（ｃｌｏｓｅｄ−ｆｏｒｍ  ｅｑｕａｔｉｏｎ）を作成する。
【０２４１】
【数１７】
0005625092.tif 000194
【０２４２】
【数１８】
0005625092.tif 000195
上記の数学式１７及び数学式１８で、
【０２４３】
【化１３３】
0005625092.tif 000196
は、データのペイロードサイズを表し、
【０２４４】
【化１３４】
0005625092.tif 000197
は、データの伝送されたシンボルの個数を表し、
【０２４５】
【化１３５】
0005625092.tif 000198
は、物理チャネルの伝送可能な総シンボルの個数を表し、
【０２４６】
【化１３６】
0005625092.tif 000199
は、レファレンスＭＣＳを表す。
【０２４７】
【化１３７】
0005625092.tif 000200
は、ＣＱＩ／ＰＭＩのペイロードサイズを表し、
【０２４８】
【化１３８】
0005625092.tif 000201
は、データのブロック誤り率とＣＱＩ／ＰＭＩのブロック誤り率との差及びデータの符号化される方式とＣＱＩ／ＰＭＩの符号化される方式による差を補償するオフセット値をｄＢ単位で表した変数を表し、
【０２４９】
【化１３９】
0005625092.tif 000202
は、ＣＱＩ／ＰＭＩが伝送されるシンボルの個数を表す。
【０２５０】
一方、量子化（ｑｕａｎｔｉｚａｔｉｏｎ）問題を解決するために、上記の数学式１８を下記の数学式１９に取り替えることができる。
【０２５１】
【数１９】
0005625092.tif 000203
ここで、
【０２５２】
【化１４０】
0005625092.tif 000204
を量子化した値を表す。この時、
【０２５３】
【化１４１】
0005625092.tif 000205
が与えられる時、
【０２５４】
【化１４２】
0005625092.tif 000206
は、上記の数学式１９を満たす最小の整数値となる。
【０２５５】
上記の数学式１９を用いて
【０２５６】
【化１４３】
0005625092.tif 000207
を求めたら、下記の数学式２０を用いて
【０２５７】
【化１４４】
0005625092.tif 000208
を計算することができる。
【０２５８】
【数２０】
0005625092.tif 000209
（実施例１−Ｂの適用：データとランク指示子が共に伝送される場合）
データとランク指示子のみがＵＬ−ＳＣＨで伝送される場合は、データとＣＱＩ／ＰＭＩのみが伝送される場合と同様の方法で、ランク指示子が伝送されるシンボルの個数を計算する。ランク指示子が伝送されるシンボルの個数を計算する公式とデータが伝送されるシンボルの個数を計算する公式を用いて、レファレンスＭＣＳを計算し、計算されたレファレンスＭＣＳを用いてデータが伝送されるシンボルの個数を求めることができ、また、ランク指示子が伝送されるシンボル個数を計算することができる。
【０２５９】
すなわち、下記の数学式２１を用いてデータが伝送されるシンボル個数を求める。この時、ＣＱＩ／ＰＭＩが伝送されるシンボルの個数を、データが伝送されるシンボルの個数の関数で表現し、下記の数学式２２のように閉形式の方程式を得る。
【０２６０】
【数２１】
0005625092.tif 000210
【０２６１】
【数２２】
0005625092.tif 000211
上記の数学式２１及び数学式２２で、
【０２６２】
【化１４５】
0005625092.tif 000212
はデータのペイロードサイズを、
【０２６３】
【化１４６】
0005625092.tif 000213
はデータの伝送されたシンボルの個数を、
【０２６４】
【化１４７】
0005625092.tif 000214
は物理チャネルの伝送可能な総シンボルの個数を、
【０２６５】
【化１４８】
0005625092.tif 000215
はレファレンスＭＣＳを表す。また、
【０２６６】
【化１４９】
0005625092.tif 000216
はランク指示子のペイロードサイズを、
【０２６７】
【化１５０】
0005625092.tif 000217
はデータのブロック誤り率とランク指示子のブロック誤り率との差及びデータの符号化される方式とランク指示子の符号化される方式による差を補償するオフセット値をｄＢ単位で表した変数を、
【０２６８】
【化１５１】
0005625092.tif 000218
はランク指示子が伝送されるシンボルの個数を表す。
【０２６９】
一方、量子化問題を解決するために、上記の数学式２２を下記の数学式２３に取り替えることができる。
【０２７０】
【数２３】
0005625092.tif 000219
ここで、
【０２７１】
【化１５２】
0005625092.tif 000220
を量子化した値を表す。この時、
【０２７２】
【化１５３】
0005625092.tif 000221
が与えられる時、
【０２７３】
【化１５４】
0005625092.tif 000222
は、上記の数学式２３を満たす最小の整数値である。
【０２７４】
上記の数学式２３を用いて
【０２７５】
【化１５５】
0005625092.tif 000223
を求めたら、下記の数学式２４を用いて
【０２７６】
【化１５６】
0005625092.tif 000224
を計算することができる。
【０２７７】
【数２４】
0005625092.tif 000225
（実施例１−Ｂの適用：データ、ＣＱＰ／ＰＭＩ及びランク指示子が共に伝送される場合）
データ、ＣＱＩ／ＰＭＩ及びランク指示子がＵＬ−ＳＣＨで伝送される場合は、ＵＬ−ＳＣＨで伝送される総シンボルの個数は、ＣＱＩ／ＰＭＩが伝送されるシンボルの個数とランク指示子が伝送されるシンボルの個数とデータが伝送されるシンボルの個数との和で表すことができる。したがって、ＣＱＩ／ＰＭＩが伝送される個数を計算する公式、ランク指示子が伝送されるシンボルの個数を計算する公式、及びデータが伝送されるシンボルの個数を計算する公式を用いて、レファレンスＭＣＳを計算することができる。レファレンスＭＣＳを用いて、データが伝送されるシンボル個数を求めることができ、また、ＣＱＩ／ＰＭＩ及びランク指示子が伝送されるシンボル個数を計算することができる。
【０２７８】
すなわち、下記の数学式２５を用いてデータが伝送されるシンボル個数を求めることができる。ここで、ＣＱＩ／ＰＭＩが伝送されるシンボルの個数を、データが伝送されるシンボルの個数の関数で表現し、下記の数学式２６のように閉形式の方程式を得る。
【０２７９】
【数２５】
0005625092.tif 000226
【０２８０】
【数２６】
0005625092.tif 000227
上記の数学式２５及び数学式２６で、
【０２８１】
【化１５７】
0005625092.tif 000228
はデータのペイロードサイズを、
【０２８２】
【化１５８】
0005625092.tif 000229
はデータの伝送されたシンボルの個数を、
【０２８３】
【化１５９】
0005625092.tif 000230
は物理チャネルの伝送可能な総シンボルの個数を、
【０２８４】
【化１６０】
0005625092.tif 000231
はレファレンスＭＣＳを表す。
【０２８５】
【化１６１】
0005625092.tif 000232
はＣＱＩ／ＰＭＩのペイロードサイズを、
【０２８６】
【化１６２】
0005625092.tif 000233
はデータのブロック誤り率とＣＱＩ／ＰＭＩのブロック誤り率との差及びデータが符号化される方式とＣＱＩ／ＰＭＩが符号化される方式による差を補償するオフセット値をｄＢ単位で表した変数を、
【０２８７】
【化１６３】
0005625092.tif 000234
はＣＱＩ／ＰＭＩが伝送されるシンボルの個数を表す。また、
【０２８８】
【化１６４】
0005625092.tif 000235
はランク指示子のペイロードサイズを、
【０２８９】
【化１６５】
0005625092.tif 000236
はデータのブロック誤り率とランク指示子のブロック誤り率との差及びデータが符号化される方式とランク指示子が符号化される方式による差を補償するオフセット値をｄＢ単位で表した変数を、
【０２９０】
【化１６６】
0005625092.tif 000237
はランク指示子が伝送されるシンボルの個数を表す。
【０２９１】
一方、量子化問題を解決するために、上記の数学式２６を下記の数学式２７に取り替えることができる。
【０２９２】
【数２７】
0005625092.tif 000238
ここで、
【０２９３】
【化１６７】
0005625092.tif 000239
を量子化した値を表し、
【０２９４】
【化１６８】
0005625092.tif 000240
を量子化した値を表す。この時、
【０２９５】
【化１６９】
0005625092.tif 000241
が与えられる時、
【０２９６】
【化１７０】
0005625092.tif 000242
は、数学式２７を満たす最小の整数値である。
本発明で
【０２９７】
【化１７１】
0005625092.tif 000243
が求められると、
【０２９８】
【化１７２】
0005625092.tif 000244
を計算する。ここで、天井（Ｃｅｉｌｉｎｇ）関数によってランク指示子が伝送される符号率がレファレンス符号率よりも低くするように、下記の数学式２８を用いて
【０２９９】
【化１７３】
0005625092.tif 000245
計算後に
【０３００】
【化１７４】
0005625092.tif 000246
を求める方法が提案される。これは、ＣＱＩ／ＰＭＩよりもランク指示子が重要なためである。
【０３０１】
【数２８】
0005625092.tif 000247
一方、量子化問題を解決するために、上記の数学式２８を下記の数学式２９に取り替えることができる。
【０３０２】
【数２９】
0005625092.tif 000248
この時、
【０３０３】
【化１７５】
0005625092.tif 000249
が与えられると、
【０３０４】
【化１７６】
0005625092.tif 000250
は、上記の数学式２９を満たす最小の整数値である。
【０３０５】
【化１７７】
0005625092.tif 000251
が求められると、下記の数学式３０を用いて
【０３０６】
【化１７８】
0005625092.tif 000252
を計算することができる。
【０３０７】
【数３０】
0005625092.tif 000253
一方、ランク指示子をまず計算する場合、下記の数学式３１を用いることができる。
【０３０８】
【数３１】
0005625092.tif 000254
また、量子化問題を解決するために、上記の数学式３１を下記の数学式３２に取り替えることができる。
【０３０９】
【数３２】
0005625092.tif 000255
この時、
【０３１０】
【化１７９】
0005625092.tif 000256
が与えられると、
【０３１１】
【化１８０】
0005625092.tif 000257
は、数学式３２を満たす最小の整数値である。
【０３１２】
【化１８１】
0005625092.tif 000258
が求められると、下の式を用いて
【０３１３】
【化１８２】
0005625092.tif 000259
を計算することができる。
【０３１４】
【数３３】
0005625092.tif 000260
上述した方法で
【０３１５】
【化１８３】
0005625092.tif 000261
を計算した後に
【０３１６】
【化１８４】
0005625092.tif 000262
を計算する理由は、レファレンスＭＣＳとして用いられる
【０３１７】
【化１８５】
0005625092.tif 000263
の値が略同一と判断されるためである。
【０３１８】
データとＣＱＩ／ＰＭＩにそれぞれ異なる長さのＣＲＣが付加される場合や多数のＣＲＣが付加される場合には、
【０３１９】
【化１８６】
0005625092.tif 000264
の全てが必ずしも実質的に同じレファレンスＭＣＳを表すわけではない。したがって、一つの同一レファレンスＭＣＳから全ての値を計算するために、上記の数学式２８を下記の数学式３４のように表現することができる。
【０３２０】
【数３４】
0005625092.tif 000265
または、量子化問題を解決するために、上記の数学式３４を下記の数学式３５に取り替えることができる。
【０３２１】
【数３５】
0005625092.tif 000266
この時、
【０３２２】
【化１８７】
0005625092.tif 000267
が与えられると、
【０３２３】
【化１８８】
0005625092.tif 000268
は、数学式３４を満たす最小の整数値である。
【０３２４】
【化１８９】
0005625092.tif 000269
が求められると、下の式を用いて
【０３２５】
【化１９０】
0005625092.tif 000270
を計算することができる。
【０３２６】
【数３６】
0005625092.tif 000271
同様に、上記の数学式３１は下記の数学式３７のように表現することができる。下記の数学式３７を用いて、
【０３２７】
【化１９１】
0005625092.tif 000272
を計算することができる。
【０３２８】
【数３７】
0005625092.tif 000273
または、量子化問題を解決するために、上記の数学式３７を下記の数学式３８に取り替えることができる。
【０３２９】
【数３８】
0005625092.tif 000274
この時、
【０３３０】
【化１９２】
0005625092.tif 000275
が与えられると、
【０３３１】
【化１９３】
0005625092.tif 000276
は、数学式３８を満たす最小の整数値である。
【０３３２】
【化１９４】
0005625092.tif 000277
が求められると、下の式を用いて
【０３３３】
【化１９５】
0005625092.tif 000278
を計算することができる。
【０３３４】
【数３９】
0005625092.tif 000279
上記実施例１−Ｂで、
【０３３５】
【化１９６】
0005625092.tif 000280
を計算する順序は、次の通りである。
【０３３６】
【化１９７】
0005625092.tif 000281
【０３３７】
【化１９８】
0005625092.tif 000282
を満たす
【０３３８】
【化１９９】
0005625092.tif 000283
を計算する。この時、
【０３３９】
【化２００】
0005625092.tif 000284
が与えられると、
【０３４０】
【化２０１】
0005625092.tif 000285
は、上記の式を満たす最小の整数値である。
【０３４１】
【化２０２】
0005625092.tif 000286
【０３４２】
【化２０３】
0005625092.tif 000287
を満たす
【０３４３】
【化２０４】
0005625092.tif 000288
を求める。この時、
【０３４４】
【化２０５】
0005625092.tif 000289
が与えられると、
【０３４５】
【化２０６】
0005625092.tif 000290
は、上記の式を満たす最小の整数値である。
【０３４６】
【化２０７】
0005625092.tif 000291
【０３４７】
【化２０８】
0005625092.tif 000292
を求める。
【０３４８】
（実施例１−Ｃ）
上記実施例１−Ａでは、レファレンスＭＣＳ値は、データ、ＣＱＩ／ＰＭＩ及びランク指示子が伝送される時には、前記各情報が伝送される正確な符号率と変調次数を実際に考慮しないという不都合がある。また、上記実施例１−Ｂで説明された方法は、各情報フィールド（ｆｉｌｅｄ）を計算する方法が複雑であるとていう不都合がある。本実施例１−Ｃは、上記実施例１−Ｂで説明された方法を使用すると各情報のＭＣＳがレファレンスＭＣＳに最も近似化するという点を用いて、レファレンスＭＣＳを伝送しようとする種々の情報の関数として表現する方法を提案する。すなわち、下記のように近似化した等式を用いる。
【０３４９】
【数４０】
0005625092.tif 000293
ここで、記号
【０３５０】
【化２０９】
0005625092.tif 000294
の左値と右値が略同一であることを表す。
【０３５１】
レファレンスＭＣＳ値を、各情報が伝送するシンボルの個数に対する各情報が伝送しようとするペイロードサイズの割合で定義する時、各情報が伝送しようとするシンボルの個数を知らないことが問題とされる。しかし、伝送しようとする総シンボルの個数は知っているため、下記の数学式４１を用いて、各情報が伝送しようとするシンボル個数を計算することなくレファレンスＭＣＳ値を求めることができる。
【０３５２】
【数４１】
0005625092.tif 000295
上記の数学式４１を用いて、下記の数学式４１のような結果を導くことができる。
【０３５３】
【数４２】
0005625092.tif 000296
しかし、ＵＬ−ＳＣＨで種々の情報が多重化して伝送されても、ユーザ機器（ＵＥ）は伝送される総シンボルの個数を知っており、ユーザ機器（ＵＥ）は、各情報ごとに伝送されるペイロードも知っている。また、各情報が伝送されるシンボルの個数の総合は、ＵＬ−ＳＣＨで伝送される総シンボルの個数と同一であるという事実を用いて、各情報が伝送されるシンボルを知っていなくても近似的なレファレンスＭＣＳを求めることができる。
【０３５４】
この場合、データに対して符号化利得（ｃｏｄｉｎｇ  ｇａｉｎ）または作動（ｏｐｅｒａｔｉｏｎ）ブロック誤り率の差を補償するオフセット値によって該当の情報の伝送されたシンボルの個数が決定されるため、本発明では、レファレンスＭＣＳを下記のように定義することができる。
【０３５５】
（１）データとＣＱＩ／ＰＭＩをＵＬ−ＳＣＨで伝送する場合、レファレンスＭＣＳを下記の数学式４３のように定義することができる。
【０３５６】
【数４３】
0005625092.tif 000297
（２）データとランク指示子をＵＬ−ＳＣＨで伝送する場合、レファレンスＭＣＳを下記のように定義することができる。
【０３５７】
【数４４】
0005625092.tif 000298
（３）データ、ＣＱＩ／ＰＭＩ及びランク指示子をＵＬ−ＳＣＨで伝送する場合、レファレンスＭＣＳを下記のように定義することができる。
【０３５８】
【数４５】
0005625092.tif 000299
すなわち、レファレンスＭＣＳ値は、ＵＬ−ＳＣＨで伝送される総シンボルの個数を、伝送しようとする情報のペイロードの合計で除算した値と定義することを提案する。この場合、各情報ペイロード値には、各情報が符号化されるコーディング手法、作動（ｏｐｅｒａｔｉｏｎ）ブロック誤り率等によってデータレファレンスＭＣＳとの差を補償するオフセット値が乗算される。
【０３５９】
したがって、ＣＱＩ／ＰＭＩとランク指示子は、下記の数学式４６を用いて実際に伝送されるシンボルの個数を求めることができる。
【０３６０】
【数４６】
0005625092.tif 000300
ここで、
【０３６１】
【化２１０】
0005625092.tif 000301
は、情報Ｘのペイロードサイズを表し、
【０３６２】
【化２１１】
0005625092.tif 000302
は、データが復号化される方式と情報Ｘが復号化される方式との差を補償するのためのオフセット値をｄＢ単位で表示する変数を表し、
【０３６３】
【化２１２】
0005625092.tif 000303
は、情報Ｘが伝送されるシンボルの個数を表す。ここで、情報Ｘは、ＣＱＩ／ＰＭＩまたはランク指示子とすることができる。
【０３６４】
データが伝送されるシンボルの個数は、ＣＱＩ／ＰＭＩ及びランク指示子が伝送されるシンボルの個数を全体伝送可能なシンボルの個数から除外した値とされる。
【０３６５】
データが伝送されるシンボル数を計算する一例は、下記の通りである。
【０３６６】
（１）データとＣＱＩ／ＰＭＩがＵＬ−ＳＣＨで伝送される場合、データが伝送されるシンボルの個数は、下記の数学式により計算される。
【０３６７】
【数４７】
0005625092.tif 000304
（２）データとランク指示子がＵＬ−ＳＣＨで伝送される場合、データが伝送されるシンボルの個数は、下記の数学式により計算される。
【０３６８】
【数４８】
0005625092.tif 000305
（３）データ、ＣＱＩ／ＰＭＩ及びランク指示子がＵＬ−ＳＣＨで伝送される場合、データが伝送されるシンボルの個数は、下記の数学式により計算される。
【０３６９】
【数４９】
0005625092.tif 000306
以上ではＵＬ−ＳＣＨでデータが伝送される場合を挙げて説明したが、データなしにＣＱＩ／ＰＭＩとランク指示子がＵＬ−ＳＣＨで伝送されることもできる。
【０３７０】
したがって、以下では、ＵＬ−ＳＣＨでデータが伝送されない場合、制御情報の符号率（Ｃｏｄｅ  Ｒａｔｅ）を計算する方法について説明する。
【０３７１】
このような場合には、ｅＮＢ（ｅｖｏｌｖｅｄ  Ｎｏｄｅ  Ｂ）はユーザ機器（ＵＥ）にＵＬ−ＳＣＨが伝送される時に用いられる総シンボルの個数のみを知らせるようになっている。したがって、この場合は、レファレンスになりうるＭＣＳがない。以下では、ＣＱＩ／ＰＭＩとランク情報が共にＵＬ−ＳＣＨで伝送される場合、レファレンスＭＣＳを計算する方法を提案する。
【０３７２】
（実施例２−Ａ）
実施例２−Ａでは、ＣＱＩ／ＰＭＩとランク指示子が伝送される時、ＣＱＩ／ＰＭＩのみがＵＬ−ＳＣＨで伝送されるという仮定の下に、レファレンスＭＣＳをＣＱＩ／ＰＭＩの符号率と変調次数を用いて求める方法を提案する。
【０３７３】
ＣＱＩ／ＰＭＩの符号率は、下記の数学式４９のように定義することができる。
【０３７４】
【数５０】
0005625092.tif 000307
ここで、
【０３７５】
【化２１３】
0005625092.tif 000308
は、レファレンスコードレートを表し、
【０３７６】
【化２１４】
0005625092.tif 000309
は、ＣＱＩ／ＰＭＩのペイロードサイズを表し、
【０３７７】
【化２１５】
0005625092.tif 000310
は、レファレンス変調次数であるＣＱＩ／ＰＭＩの変調次数を表す。また、
【０３７８】
【化２１６】
0005625092.tif 000311
は、ＵＬ−ＳＣＨを伝送する際に、物理チャネルの伝送可能な総シンボルの個数を表す。
【０３７９】
したがって、レファレンスＭＣＳは、下記のように計算することができる。
【０３８０】
【数５１】
0005625092.tif 000312
（実施例２−Ａの適用：ＣＱＩ／ＰＭＩとランク指示子が共に伝送される場合）
ＣＱＩ／ＰＭＩとランク指示子が共に伝送される場合は、下記の数学式５２のように、レファレンスＭＣＳをまず用いて、ランク指示子が伝送されるシンボルの個数を計算する。次に、物理チャネルを通じて伝送されうる総シンボルの個数からランク指示子が伝送されるシンボルの個数を減算してＣＱＩ／ＰＭＩが伝送されるシンボルの個数を計算する。
【０３８１】
【数５２】
0005625092.tif 000313
【０３８２】
【数５３】
0005625092.tif 000314
上記の数学式５２及び数学式５３で、
【０３８３】
【化２１７】
0005625092.tif 000315
はランク指示子のペイロードサイズを表し、
【０３８４】
【化２１８】
0005625092.tif 000316
はデータのブロック誤り率とランク指示子のブロック誤り率との差及びデータが符号化される方式とランク指示子が符号化される方式による差を補償するオフセット値をｄＢ単位で表した変数を  表し、
【０３８５】
【化２１９】
0005625092.tif 000317
は、ランク指示子が伝送されるシンボルの個数を表す。
【０３８６】
【化２２０】
0005625092.tif 000318
は、物理チャネルの伝送可能な総シンボルの個数を表し、
【０３８７】
【化２２１】
0005625092.tif 000319
は、ＣＱＩ／ＰＭＩが伝送されるシンボルの個数を表す。
【０３８８】
しかし、上記実施例２−Ａで説明された方法は、実施例１−Ａと実施例１−Ｂで説明した通り、ユーザ機器（ＵＥ）とｅＮＢ間に異なって具現されることがある。
【０３８９】
したがって、これを解決するために、上記の数学式５２を下記の数学式５４に取り替えることを提案する。
【０３９０】
【数５４】
0005625092.tif 000320
この時、
【０３９１】
【化２２２】
0005625092.tif 000321
が与えられる時、
【０３９２】
【化２２３】
0005625092.tif 000322
は上記の数学式５４を満たす最小の整数値である。
【０３９３】
【化２２４】
0005625092.tif 000323
が求められると、上記の数学式５３を用いて
【０３９４】
【化２２５】
0005625092.tif 000324
を計算する。
【０３９５】
上記実施例２−Ａで説明された方法を用いてＣＱＩ／ＰＭＩ符号率を計算すると、各情報（ＣＱＩ／ＰＭＩとランク）別に正確なレファレンス符号率が適用されない。レファレンス符号率をＣＱＩ／ＰＭＩ符号率と仮定すれば、ＣＱＩ／ＰＭＩ符号率は、ランク指示子が全体情報量においてどれだけを占めるかを知る場合にのみわかり、ランク指示子がどれだけを占めるかは、ＣＱＩ／ＰＭＩコードレートを知る場合にのみわかるわけである。すなわち、上記実施例２−Ａで説明された方法は、ＣＱＩ／ＰＭＩのみ伝送されるという仮定下に、理想的な状態でのＣＱＩ／ＰＭＩ符号率をレファレンス符号率と仮定する。
【０３９６】
（実施例２−Ｂ）
しかし、本実施例２−Ｂは、全体伝送されるシンボルの個数はＣＱＩ／ＰＭＩとランク指示子がＵＬ−ＳＣＨで伝送されるシンボルの個数の和という事実を用いて、閉形式でＣＱＩ／ＰＭＩ及びランク指示子のレファレンス符号率を一度で求めることを提案する。
【０３９７】
すなわち、レファレンスＭＣＳ値を未知の変数と仮定し、ＣＱＩ／ＰＭＩとランク指示子を伝送するためのシンボル個数をレファレンスＭＣＳ値の関数として表現すると、ＣＱＩ／ＰＭＩとランク指示子が伝送される時の伝送される総シンボルの個数を知っているため、正確なレファレンスＭＣＳ値を求めることができる。
【０３９８】
ＣＱＩ／ＰＭＩとランク指示子がＵＬ−ＳＣＨで伝送される場合は、ＵＬ−ＳＣＨによって伝送される総シンボルの個数は、ＣＱＩ／ＰＭＩの伝送されたシンボルの個数とランク指示子の伝送されたシンボルの個数との和で表すことができる。したがって、ランク指示子の伝送されたシンボルの個数を計算する公式とＣＱＩ／ＰＭＩの最終的に伝送されたシンボルの個数を計算する公式を用いて、レファレンスＭＣＳを計算し、計算されたレファレンスＭＣＳを用いて、ランク指示子が伝送されるシンボルの個数を求めることができ、これによって、ＣＱＩ／ＰＭＩを伝送するためのシンボルの個数を計算することができる。
【０３９９】
すなわち、下記の数学式５５を用いて、ランク指示子が伝送されるシンボル個数を求める。この時、ＣＱＩ／ＰＭＩの伝送されたシンボルの個数を、ランク指示子の伝送されたシンボルの個数の関数として表現し、下記の数学式５６のような閉形式の方程式が得られる。
【０４００】
【数５５】
0005625092.tif 000325
【０４０１】
【数５６】
0005625092.tif 000326
上記の数学式５４及び数学式５５で、
【０４０２】
【化２２６】
0005625092.tif 000327
は、ランク指示子のペイロードサイズを表し、
【０４０３】
【化２２７】
0005625092.tif 000328
は、データのブロック誤り率とランク指示子のブロック誤り率との差及びデータが符号化される方式とランク指示子が符号化される方式による差を補償するオフセット値をｄＢ単位で表した変数を表し、
【０４０４】
【化２２８】
0005625092.tif 000329
は、ランク指示子が伝送されるシンボルの個数を表す。
【０４０５】
【化２２９】
0005625092.tif 000330
は、物理チャネルの伝送可能な総シンボルの個数を表し、
【０４０６】
【化２３０】
0005625092.tif 000331
は、ＣＱＩ／ＰＭＩが伝送されるシンボルの個数を表す。
【０４０７】
または、量子化問題を解決するために、上記の数学式５６は下記の数学式５７に取り替えることができる。
【０４０８】
【数５７】
0005625092.tif 000332
ここで、
【０４０９】
【化２３１】
0005625092.tif 000333
を量子化した値を表す。この時、
【０４１０】
【化２３２】
0005625092.tif 000334
が与えられると、
【０４１１】
【化２３３】
0005625092.tif 000335
は、数学式５７を満たす最小の整数値である。
【０４１２】
（実施例２−Ｃ）
実施例２−Ｃは、実施例１−Ｃで用いられた原理を同一に用いる。伝送されるデータがないから、ＣＱＩ／ＰＭＩ情報を計算をする時には、ランク指示子をまず計算し、ＣＱＩ／ＰＭＩが伝送されるシンボルの個数を計算する。したがって、ランク指示子とＣＱＩ／ＰＭＩがＵＬ−ＳＣＨで伝送される場合、レファレンスＭＣＳは、下記の数学式５７のように定義する。
【０４１３】
【数５８】
0005625092.tif 000336
ランク指示子を伝送するためのシンボルの個数は、下記の数学式５９で求め、ＣＱＩ／ＰＭＩを伝送するためのシンボルの個数は、ＵＬ−ＳＣＨで伝送される総シンボルの個数からランク指示子を伝送するためのシンボルの個数を減算して求める。
【０４１４】
【数５９】
0005625092.tif 000337
ここで、
【０４１５】
【化２３４】
0005625092.tif 000338
は、情報Ｘのペイロードサイズを表し、
【０４１６】
【化２３５】
0005625092.tif 000339
は、データの復号化される方式と情報（Ｘ）の復号化される方式との差を補償するのためのオフセット値をｄＢ単位で表示する変数を表し、
【０４１７】
【化２３６】
0005625092.tif 000340
は、情報Ｘが伝送されるシンボルの個数を表す。ここで、上記の数学式５９において情報Ｘはランク指示子とすることができる。
【０４１８】
（実施例３）
ＡＣＫ／ＮＡＣＫ情報は、データ、ＣＱＩ／ＰＭＩ及びランク指示子の多重化された情報をパンクチャリング（ｐｕｎｃｔｕｒｉｎｇ）することによって挿入されるため、既存情報の符号率を変化させることができる。しかし、ｅＮＢは、ユーザ機器（ＵＥ）がＡＣＫ／ＮＡＣＫを伝送したか否かを常に知っているわけではなく、よって、全ての情報がＵＬ−ＳＣＨで占めるシンボル個数が完全に計算された後に、独立してレファレンスＭＣＳを用いてＡＣＫ／ＮＡＣＫを伝送するためのシンボルの個数を計算する。
【０４１９】
データが存在する時には、レファレンスＭＣＳとして
【０４２０】
【化２３７】
0005625092.tif 000341
を使用し、データがなく、ＣＱＩ／ＰＭＩ及びランクのみがＵＬ−ＳＣＨで伝送される時には、レファレンスＭＣＳとして
【０４２１】
【化２３８】
0005625092.tif 000342
を使用する。すなわち、ＡＣＫ／ＮＡＣＫ情報が使用するレファレンスＭＣＳは
【０４２２】
【化２３９】
0005625092.tif 000343
で一般化することができ、ＡＣＫ／ＮＡＣＫ情報の伝送されたシンボルの個数は、下記のように表すことができる。
【０４２３】
【数６０】
0005625092.tif 000344
ここで、
【０４２４】
【化２４０】
0005625092.tif 000345
は、ＡＣＫ／ＮＡＣＫ情報のペイロードサイズを表し、
【０４２５】
【化２４１】
0005625092.tif 000346
は、データのブロック誤り率とＡＣＫ／ＮＡＣＫ情報のブロック誤り率との差及びデータの符号化される方式とＡＣＫ／ＮＡＣＫ情報の符号化される方式による差を補償するオフセット値をｄＢ単位で表した変数を表し、
【０４２６】
【化２４２】
0005625092.tif 000347
は、最終的にＡＣＫ／ＮＡＣＫ信号が伝送されるシンボルの個数を表す。
【０４２７】
または、量子化問題を解決するために、ＡＣＫ／ＮＡＣＫ情報が物理的チャネルを通じて伝送されるシンボルの個数を計算する方法が、下記のように提案される。
【０４２８】
【数６１】
0005625092.tif 000348
ここで、
【０４２９】
【化２４３】
0005625092.tif 000349
を量子化した値を表す。この時、
【０４３０】
【化２４４】
0005625092.tif 000350
が与えられると、
【０４３１】
【化２４５】
0005625092.tif 000351
は、上記の数学式６１を満たす最小の整数値である。
【０４３２】
（実施例４）
ＵＬ−ＳＣＨで伝送するＡＣＫ／ＮＡＣＫ情報とランク指示子は、データまたはＣＱＩ／ＰＭＩ情報とは違い、常にＱＰＳＫ（Ｑｕａｄｒａｔｕｒｅ  Ｐｈａｓｅ  Ｓｈｉｆｔ  Ｋｅｙｉｎｇ）またはＢＰＳＫ（Ｂｉｎａｒｙ  Ｐｈａｓｅ  Ｓｈｉｆｔ  Ｋｅｙｉｎｇ）変調を用いる。このような特殊な変調方式（ｓｃｈｅｍｅ）を具現するために、ＡＣＫ／ＮＡＣＫとランク指示子は、データまたはＣＱＩ／ＰＭＩの変調星座（Ｍｏｄｕｌａｔｉｏｎ  Ｃｏｎｓｔｅｌｌａｔｉｏｎ）の最外部４個（ＢＰＳＫを用いる場合は２個）の座標のみを使用することがある。
【０４３３】
図１２は、データまたはＣＱＩ／ＰＭＩ情報が１６ＱＡＭ（Ｑｕａｄｒａｔｕｒｅ  Ａｍｐｌｉｔｕｄｅ  Ｍｏｄｕｌａｔｉｏｎ）変調方式を用いる時、ＡＣＫ／ＮＡＣＫ情報とランク指示子が使用する変調星座の座標を表す。また、図１３は、データまたはＣＱＩ／ＰＭＩ情報が６４ＱＡＭ変調方式を用いる時、ＡＣＫ／ＮＡＣＫ情報とランク指示子が使用する変調星座の座標を表す。
【０４３４】
図１２及び図１３に示すように、ＡＣＫ／ＮＡＣＫ情報とランク指示子が変調において星座の最外部４個の座標を使用すると、ユークリッド距離（Ｅｕｃｌｉｄｅａｎ  ｄｉｓｔａｎｃｅ）の観点からＡＣＫ／ＮＡＣＫ情報とランク情報のシンボルの位置が互いに最も遠くなることができ、性能向上を得ることができる。
【０４３５】
しかし、このような変調星座の座標上で最も最外部座標のみを使用すると、データとＣＱＩ／ＰＭＩ情報が伝送される平均パワー（ｐｏｗｅｒ）を１と仮定する時、ＡＣＫ／ＮＡＣＫとランク指示子の平均パワーは１よりも大きい。したがって、本発明では、ＡＣＫ／ＮＡＣＫ情報とランク指示子のＵＬ−ＳＣＨで伝送されるシンボルの個数を計算する過程で、データまたはＣＱＩ／ＰＭＩの変調次数が１６ＱＡＭまたは６４ＱＡＭの時には、補償オフセット変数
【０４３６】
【化２４６】
0005625092.tif 000352
に加えて、補償オフセット変数
【０４３７】
【化２４７】
0005625092.tif 000353
を、ＡＣＫ／ＮＡＣＫ及びランク指示子をＵＬ−ＳＣＨで伝送するためのシンボルの個数を計算する時に用いることを提案する。
【０４３８】
データまたはＣＱＩ／ＰＭＩの変調次数がＱＰＳＫの時には、上記の実施例１−Ａ、実施例１−Ｂ、実施例２−Ａ、実施例２−Ｂを用いて
【０４３９】
【化２４８】
0005625092.tif 000354
を計算し、データまたはＣＱＩ／ＰＭＩの変調次数が１６ＱＡＭの時には、１−Ａ、実施例１−Ｂ、実施例２−Ａ、実施例２−Ｂにおいて
【０４４０】
【化２４９】
0005625092.tif 000355
の代わりに
【０４４１】
【化２５０】
0005625092.tif 000356
または
【０４４２】
【化２５１】
0005625092.tif 000357
を用いて各情報のシンボルの個数を計算する。
【０４４３】
また、データまたはＣＱＩ／ＰＭＩの変調次数が６４ＱＡＭの時には、上記の実施例１−Ａ、実施例１−Ｂ、実施例２−Ａ、実施例２−Ｂにおいて、
【０４４４】
【化２５２】
0005625092.tif 000358
の代わりに、
【０４４５】
【化２５３】
0005625092.tif 000359
または
【０４４６】
【化２５４】
0005625092.tif 000360
を用いて各情報のシンボルの個数を計算する。
【０４４７】
データまたはＣＱＩ／ＰＭＩの変調次数として１６ＱＡＭまたは６４ＱＡＭを用いる時、ＡＣＫ／ＮＡＣＫ情報及びランク指示子のパワー差を補償するために、ＡＣＫ／ＮＡＣＫ情報及びランク指示子のオフセット値
【０４４８】
【化２５５】
0005625092.tif 000361
を変調次数にしたがって別々に与えることで、データまたはＣＱＩ／ＰＭＩの変調次数に応じて該当のオフセット値を使用する。
【０４４９】
（実施例５）
ランク指示子とＡＣＫ／ＮＡＣＫ情報は、伝送可能な最大シンボルの個数が制限されることがある。そこで、本発明で提案した方法によってＡＣＫ／ＮＡＣＫ情報の伝送されたシンボルの個数
【０４５０】
【化２５６】
0005625092.tif 000362
を計算する時、ＡＣＫ／ＮＡＣＫ情報の伝送可能なシンボルの最大個数よりも
【０４５１】
【化２５７】
0005625092.tif 000363
が大きい場合、
【０４５２】
【化２５８】
0005625092.tif 000364
は、ＡＣＫ／ＮＡＣＫ情報の伝送可能なシンボルの最大個数に設定される。また、ＡＣＫ／ＮＡＣＫ情報の伝送されたシンボルの個数
【０４５３】
【化２５９】
0005625092.tif 000365
を計算する時、ランク指示子の伝送可能なシンボルの最大個数よりも
【０４５４】
【化２６０】
0005625092.tif 000366
ランク指示子の伝送可能なシンボルの最大個数に設定される。
【０４５５】
【化２６１】
0005625092.tif 000367
最大値は１２×ＮＲＢ×４とされる。ＮＲＢは、ＰＵＳＣＨが伝送されるリソースブロック（ＲＢ）の個数である。すなわち、ＰＵＳＣＨを通じて１ＲＢが伝送されるとすれば、
【０４５６】
【化２６２】
0005625092.tif 000368
の最大値は４８である。
【０４５７】
上記の実施例１−Ｂのようにデータ、ＣＱＩ／ＰＭＩ及びランク指示子が共に多重化される場合には、ランク指示子が伝送される情報は状況によって最後に計算されることがある。このような場合、ランク指示子の伝送されたシンボルの個数
【０４５８】
【化２６３】
0005625092.tif 000369
が伝送可能な最大値を超過したか確認し、超過をした場合は
【０４５９】
【化２６４】
0005625092.tif 000370
が最大値に制約され、計算された
【０４６０】
【化２６５】
0005625092.tif 000371
と最大伝送可能な値との差に該当するデータまたはＣＱＩ／ＰＭＩシンボルがさらに伝送される。
【０４６１】
（実施例６）
状況によっては、本発明で提案するレファレンスＭＣＳ値においてレファレンス符号率は１より大きい値と設定または計算されることができる。レファレンス符号率が１よりも大きい場合には、ＣＱＩ／ＰＭＩ、ランク指示子及びＡＣＫ／ＮＡＣＫ情報は基地局で復号化されず、余分の情報をユーザ機器（ＵＥ）が伝送する場合が発生する。したがって、このような場合には、ＣＱＩ／ＰＭＩ、ランク指示子及びＡＣＫ／ＮＡＣＫ情報が伝送されるシンボル個数をいずれも０とし、データのみを伝送することができる。
【０４６２】
アップリンクを效率的に使用する別の方法に、ｅＮＢでレファレンス符号率が１よりも大きい状況を作ることを防ぎ、もし、ユーザ機器（ＵＥ）がこのような状況を感知した場合には、ｅＮＢが失敗したか或いはユーザ機器（ＵＥ）が失敗して誤った制御情報を読んだものと判断し、アップリンクでいかなる情報も伝送しない方法がある。
【０４６３】
（実施例７）
通信システムでは、データパケットを伝送し、データパケットの受信失敗でデータパケットにエラーが発生した場合、該当のデータパケットが再伝送される。再伝送は、ｅＮＢにより命令されたり、あらかじめ決定されたスケジュールによって行なわれることができる。
【０４６４】
図１４は、データ再伝送を説明するためのＨＡＲＱ処理過程を示す図である。図１４に示すように、最大処理過程は８個であり、最大再伝送時間は４に設定される。それぞれの処理過程で、ｎ番目のサブフレームタイミングでｅＮＢからユーザ機器（ＵＥ）がＵＬ＿Ｇｒａｎｔを受信すると、ユーザ機器（ＵＥ）は、ｎ＋４番目のサブフレームでデータを伝送し始める。
【０４６５】
例えば、ｎ＋４番目のサブフレームでデータを伝送し始めた後、バッファーに格納されたデータ（例えば、図１４の‘１’）の３番の再伝送の間に、ｅＮＢからユーザ機器（ＵＥ）がＡＣＫを受信しないと、ユーザ機器（ＵＥ）は、バッファーフラッシュ（ｆｌｕｓｈ）及びデータを再構成し、再構成されたデータ（例えば、図１４の‘１ｒｅ’）を伝送する。処理過程２は、処理過程１と同じケースである。処理過程３では、データ（例えば、図１４の‘３’）が２回再伝送された後にもｅＮＢからユーザ機器（ＵＥ）がＡＣＫを受信しないと、ユーザ機器（ＵＥ）は、新しいデータ（例えば、図１４の‘３’’）を４番目の伝送タイミングで伝送する。また、処理過程３で、ユーザ機器（ＵＥ）が新しいデータを伝送した後にｅＮＢからＡＣＫを受信しないと、ユーザ機器（ＵＥ）は５番目の伝送タイミングで新しいデータを再伝送する。これらの処理過程と同様に、処理過程４乃至６を説明することができる。また、処理過程１乃至８はそれぞれ独立して作動する。
【０４６６】
再伝送する場合、最初に受信したデータパケットと再伝送時に受信したデータパケットを用いて復号化すると、最初にデータパケットが伝送される時に使用されたリソースが全部使用されなくても、データパケットを受信する成功率が増加する。例えば、通信システムで最初のデータパケットが９０％の確率でエラー無しに伝送されるように運営をする場合に、データパケットを再伝送する時に最初伝送する時よりも高い符号率でデータパケットを伝送しても、システム運営上に問題がない。高い符号率で伝送するということは、データパケットを再伝送する時に使用した物理的伝送リソースを、最初の伝送時に比べて少なく使用するということを意味する。
【０４６７】
データの伝送されるデータパケットサイズ及びＰＵＳＣＨで伝送可能な総シンボルの個数を用いてレファレンスＭＣＳを計算し、このレファレンスＭＣＳを用いてＣＱＩ／ＰＭＩ及びランク指示子を伝送するためのシンボルの個数を計算することを本発明で提案した。
【０４６８】
しかし、データパケットを再伝送する時、最初の伝送時に比べてデータを伝送するためのシンボル数が少ない場合にもシステム運営上に問題はなく、むしろより効率的になりうるため、データの再伝送時には、ＰＵＳＣＨに対する総シンボル個数をシステムで少なく割り当てることができる。この場合、ＣＱＩ／ＰＭＩ及び／またはランク指示子を、再伝送されるデータと共に多重化して伝送することができる。
【０４６９】
この時、該当のＰＵＳＣＨ伝送時間に伝送可能な総シンボル個数を用いてレファレンスＭＣＳを計算するとすれば、ＣＱＩ／ＰＭＩ及び／またはランク指示子を安定して伝送するための符号率を設定しなくて済む。図１５は、データ伝送時のＭＣＳレファレンスの利用関係を説明する図である。本発明では、図１５に示すように、データが再伝送されるＰＵＳＣＨ伝送時に、ＣＱＩ／ＰＭＩ、ランク指示子及びＡＣＫ／ＮＡＣＫ情報がそれぞれ伝送されるシンボル数は、データが伝送された最初の伝送時に用いられた符号率を用いて計算することを提案する。
【０４７０】
すなわち、制御情報Ｘが伝送されるシンボル個数を計算する下記の数学式６２では、データが最初に伝送された時のレファレンスＭＣＳを用いる。
【０４７１】
【数６２】
0005625092.tif 000372
ここで、
【０４７２】
【化２６６】
0005625092.tif 000373
は、データが最初に伝送された時のレファレンスＭＣＳを表し、
【０４７３】
【化２６７】
0005625092.tif 000374
は、情報Ｘのペイロードサイズを表し、
【０４７４】
【化２６８】
0005625092.tif 000375
は、データの復号化される方式と情報Ｘの復号化される方式との差を補償するのためのオフセット値をｄＢ単位で表示する変数を表し、
【０４７５】
【化２６９】
0005625092.tif 000376
は、情報Ｘが伝送されるシンボルの個数を表す。情報Ｘは、ＣＱＩ／ＰＭＩ、ランク指示子またはＡＣＫ／ＮＡＣＫ情報とすることができる。
【０４７６】
数学式６２は、下記の数学式６３で表現することができる。
【０４７７】
【数６３】
0005625092.tif 000377
上記の数学式６３で、
【０４７８】
【化２７０】
0005625092.tif 000378
は、データ再伝送時における制御情報（例えば、ＣＱＩ／ＰＭＩ、ランク指示子またはＡＣＫ／ＮＡＣＫ情報）の伝送されたシンボルの個数、
【０４７９】
【化２７１】
0005625092.tif 000379
は、データ再伝送時における制御情報のペイロードサイズである。
【０４８０】
【化２７２】
0005625092.tif 000380
は、データが最初に伝送される場合における、ＰＵＳＣＨ伝送のためのサブフレーム当たりのＳＣ−ＦＤＭＡの個数を表し、
【０４８１】
【化２７３】
0005625092.tif 000381
は、データが最初に伝送される場合における、スケジューリングされた帯域ＰＵＳＣＨ伝送である。したがって、
【０４８２】
【化２７４】
0005625092.tif 000382
は、データが最初に伝送される場合における、ＰＵＳＣＨの伝送可能なシンボルの総個数となる。
【０４８３】
【化２７５】
0005625092.tif 000383
は、オフセット値を表す。
【０４８４】
【化２７６】
0005625092.tif 000384
は、データの最初伝送時におけるデータのペイロードサイズを表し、ｒは、チャネルコーディング以前のデータのコードブロック個数を表し、
【０４８５】
【化２７７】
0005625092.tif 000385
は、コードブロック個数ｒのビット数を表し、Ｃは、コードブロックの総個数を表す。
【０４８６】
ＬＴＥシステムでは、データパケットが再伝送される時、再伝送される形態によってＲＶ（Ｒｅｄｕｎｄａｎｃｙ  Ｖｅｒｓｉｏｎ）番号が付与される。ただし、ＰＵＳＣＨ伝送ではＲＶ番号０、１、２、３のうち、１、２、３番は再伝送にのみ用いられる。したがって、ＰＵＳＣＨ伝送時に、データが伝送される当時のＲＶ番号が１、２、または３であれば、データがＲＶ０で伝送される当時のレファレンスＭＣＳを用いて、ＣＱＩ／ＰＭＩ、ランク指示子、及びＡＣＫ／ＮＡＣＫ情報を伝送するためのシンボルの個数を計算する。すなわち、データの再伝送時には、ＣＱＩ／ＰＭＩ、ランク指示子及びＡＣＫ／ＮＡＣＫ情報の伝送されたシンボルの個数を数学式６３を用いて計算する。
【０４８７】
本実施例７において、データ再伝送時のユーザ機器（ＵＥ）の各構成モジュールの機能について説明すると、下記の通りである。
【０４８８】
図１６は、本発明の一実施例に係るユーザ機器の構成ブロック図である。図１６に示すように、ユーザ機器（ＵＥ）１３０は、第１チャネルコーディングモジュール１３１、第２チャネルコーディングモジュール１３２及び伝送モジュール１３３を含む。ユーザ機器は、多重化モジュール、伝送モジュール、インターリービングモジュールを含む別の機能を有するモジュールをさらに含むことができるが、本実施例では説明の便宜のために省略するものとする。
【０４８９】
第１チャネルコーディングモジュール１３１は、再伝送するデータをチャネルコーディングする。第２チャネルコーディングモジュール１３２は、制御情報をチャネルコーディングする。
【０４９０】
第２チャネルコーディングモジュール１３２は、数学式６３を用いて制御チャネルの伝送されたシンボルの個数を計算する。
【０４９１】
伝送モジュール１３３は、第１チャネルコーディングされたデータと第２チャネルコーディングされた制御情報にチャネルインターリービングを行って生成されたアップリンク信号を、アップリンクで伝送する。
【０４９２】
上記のような構成により、データの再伝送時に伝送されるＣＱＩ／ＰＭＩ及び／またはランク指示子を安定して伝送するための符号率を設定することができる。
【０４９３】
上記から明らかなように、データ及び制御情報がアップリンクチャネルを通じて伝送される場合、データ及び制御情報を含むアップリンク信号を、データ及び制御情報の符号率を正確に計算して伝送することができる。
【０４９４】
本発明は、ユーザ機器（ＵＥ）、ｅＮＢまたは無線移動通信システムに適用することができる。ｅＮＢに適用する場合、ユーザ機器から送信された符号化された／インターリービングされた信号から信号を獲得するために、ｅＮＢはデインターリービング（ｄｅｉｎｔｅｒｌｅａｖｉｎｇ）及び復号化動作を行う。
【０４９５】
図１７は、ユーザ機器またはｅＮＢであって、上述の方法が行える装置５０の構成要素を示すブロック図である。装置５０は、プロセッサ５１、メモリ５２、無線周波数（ＲＦ）ユニット５３、ディスプレイ部５４及びユーザインターフェース部５５を含む。
【０４９６】
無線インターフェースプロトコル層はプロセッサ５１に含まれる。プロセッサ５１は、制御プレーン（ｐｌａｎｅ）及びユーザプレーンを提供する。各層の機能はプロセッサ５１に含まれることができる。また、プロセッサ５１は、競合解決タイマー（ｃｏｎｔｅｎｔｉｏｎ  ｒｅｓｏｌｕｔｉｏｎ  ｔｉｍｅｒ）を含むことができる。メモリ５２は、プロセッサ５１に連結され、作動システム、アプリケーション及び一般ファイルを格納する。装置５０がユーザ機器であれば、ディスプレイ部５４は、種々の情報をディスプレイし、ＬＣＤ（ｌｉｑｕｉｄ  ｃｒｙｓｔａｌ  ｄｉｓｐｌａｙ）、ＯＬＥＤ（ｏｒｇａｎｉｃ  ｌｉｇｈｔ  ｅｍｉｔｔｉｎｇ  ｄｉｏｄｅ）などの周知の要素で構成することができる。ユーザインターフェースユニット５５は、キーパッド、タッチスクリーンなどを含む周知のユーザインターフェースの組み合わせで構成することができる。ＲＦユニット５３は、プロセッサ５１に接続されて無線信号を伝送及び／または受信する。
【０４９７】
以上で説明された実施例は、本発明の構成要素と特徴が所定形態で結合されたものである。各構成要素または特徴は、特別に明示されない限り、選択的なものとして考慮しなければならない。各構成要素または特徴は、別の構成要素や特徴と結合された形態で実施することもできる。また、一部の構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲で明示的な引用関係を有しない請求項を結合して実施例を構成することもでき、出願後の補正によって新しい請求項として含めることもできることは明らかである。
【０４９８】
本明細書で、本発明の実施例はｅＮＢとユーザ機器（ＵＥ）とのデータ送受信関係を中心に説明された。ここで、ｅＮＢは、ユーザ機器と直接的に通信を行うネットワークの終端ノード（ｔｅｒｍｉｎａｌ  ｎｏｄｅ）を意味する。本文書で、ｅＮＢにより行われるとした特定動作は、場合によっては、ｅＮＢの上位ノード（ｕｐｐｅｒ  ｎｏｄｅ）によって行われることもできる。
【０４９９】
すなわち、ｅＮＢを含む多数のネットワークノード（ｎｅｔｗｏｒｋ  ｎｏｄｅｓ）からなるネットワークでＵＥとの通信のために行われる種々の動作は、ｅＮＢまたはｅＮＢ以外の別のネットワークノードにより行われることができる。ここで、ｅＮＢは、固定局（ｆｉｘｅｄ  ｓｔａｔｉｏｎ）、Ｎｏｄｅ  Ｂ、アクセスポイント（ａｃｃｅｓｓ  ｐｏｉｎｔ）などの用語に代替可能である。また、本発明でユーザ機器は、‘移動端末（ＭＳ：Ｍｏｂｉｌｅ  Ｓｔａｔｉｏｎ）’に該当し、‘移動端末（ＭＳ）’は、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）または端末（Ｍｏｂｉｌｅ  Ｔｅｒｍｉｎａｌ）などの用語に代替可能である。
【０５００】
一方、本発明のユーザ機器には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【０５０１】
本発明の実施例は、様々な手段によって具現することができる。例えば、本発明の実施例は、ハードウェア、ファームウェア（ｆｉｒｍｗａｒｅ）、ソフトウェアまたはそれらの組み合わせなどにより具現することができる。
【０５０２】
ハードウェアによる具現の場合、本発明の実施例による方法は、１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０５０３】
ファームウェアやソフトウェアによる具現の場合、本発明の実施例による方法は、以上で説明された機能または動作を行うモジュール、手順または関数などの形態で具現することができる。ソフトウェアコードは、メモリユニットに格納されてプロセッサにより駆動されることができる。メモリユニットは、プロセッサの内部または外部に設けられて、公知の様々な手段によりプロセッサとデータを交換することができる。
【０５０４】
本発明は、本発明の精神及び必須特徴を逸脱しない範囲で、別の特定の形態に具体化することができる。したがって、上記の詳細な説明はいずれの面においても制約的に解釈されてはならず、例示的なものとして考慮しなければならない。本発明の範囲は、添付の請求項の合理的解釈により定められなければならず、よって、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【図１】
0005625092.tif 000430
【図２】
0005625092.tif 000431
【図３】
0005625092.tif 000432
【図４】
0005625092.tif 000433
【図５】
0005625092.tif 000434
【図６】
0005625092.tif 000435
【図７】
0005625092.tif 000436
【図８】
0005625092.tif 000437
【図９】
0005625092.tif 000438
【図１０】
0005625092.tif 000439
【図１１】
0005625092.tif 000440
【図１２】
0005625092.tif 000441
【図１３】
0005625092.tif 000442
【図１４】
0005625092.tif 000443
【図１５】
0005625092.tif 000444
【図１６】
0005625092.tif 000445
【図１７】
0005625092.tif 000446